(57)【特許請求の範囲】
【請求項１】
支持対象に対して軸支手段を利用して開閉可能に軸支される被支持対象を備え、
前記被支持対象は遊技機本体の一部を構成する枠体であり、
前記軸支手段は、
前記支持対象及び前記被支持対象のうち一方に設けられ軸部を有する軸部材と、他方に設けられ前記軸部を受ける軸孔部を有する軸孔部材と、を有し、
前記軸部材及び前記軸孔部材のうち一方が他方に対して縦方向に変位することで、前記軸部が前記軸孔部に挿入される構成であり、
前記軸部材及び前記軸孔部材のうち、変位する側の部材が挿入方向とは逆方向に変位することを規制する変位規制手段を備え、
前記変位規制手段は、前記縦方向と交差する方向において変位することによって前記縦方向に変位することを規制する状態と規制しない状態とに切換可能な可動部を有しており、
前記可動部は、前記支持対象に対して前記被支持対象が閉じられた状況において前記軸部及び前記軸孔部より遊技機後方側に存在するように設けられていることを特徴とする遊技機。
【発明の詳細な説明】
【技術分野】
【０００１】
本発明は、遊技機に関するものである。
【背景技術】
【０００２】
パチンコ機等の遊技機において、支持機構を介して回動可能に支持される構成では、例えば、遊技機本体の一部である内枠が島設備や当該島設備に取り付けられた外枠等に対して回動可能に支持される。遊技機本体は制御装置等を有しており、当該制御装置等の点検、交換作業等は、遊技機本体を島設備に対して開放し制御装置等を露出させて行う。また、遊技機本体は島設備側に対して着脱可能となっており、遊技機本体を島設備側から取り外した状態での点検、交換作業等を行うことが可能となっている。
【０００３】
上記支持機構としては、貫通孔を備えた回動軸受けと、当該貫通孔に挿通可能な回動軸とからなることが一般的である（例えば特許文献１参照）。
【先行技術文献】
【特許文献】
【０００４】
【特許文献１】特開２００９−２８３９１号公報
【発明の概要】
【発明が解決しようとする課題】
【０００５】
しかし、例えば上記支持機構について、取付対象に取り付け易い構成とすると、支持機構等に不正目的でアクセスし易くなる可能性も考えられる。そのため、支持機構に関し、未だ改善の余地がある。
【０００６】
本発明は、上記例示した事情等を鑑みてなされたものであり、支持機構を良好なものとすることが可能な遊技機を提供することを目的とするものである。
【課題を解決するための手段】
【０００７】
以下、上記課題を解決するための手段について記載する。
【０００８】
請求項１記載の発明は、支持対象に対して軸支手段を利用して開閉可能に軸支される被支持対象を備え、
前記被支持対象は遊技機本体の一部を構成する枠体であり、
前記軸支手段は、
前記支持対象及び前記被支持対象のうち一方に設けられ軸部を有する軸部材と、他方に設けられ前記軸部を受ける軸孔部を有する軸孔部材と、を有し、
前記軸部材及び前記軸孔部材のうち一方が他方に対して縦方向に変位することで、前記軸部が前記軸孔部に挿入される構成であり、
前記軸部材及び前記軸孔部材のうち、変位する側の部材が挿入方向とは逆方向に変位することを規制する変位規制手段を備え、
前記変位規制手段は、前記縦方向と交差する方向において変位することによって前記縦方向に変位することを規制する状態と規制しない状態とに切換可能な可動部を有しており、
前記可動部は、前記支持対象に対して前記被支持対象が閉じられた状況において前記軸部及び前記軸孔部より遊技機後方側に存在するように設けられていることを特徴とする。
【発明の効果】
【０００９】
支持機構を良好なものとすることが可能となる。
【図面の簡単な説明】
【００１０】
【図１】第１の実施の形態におけるパチンコ機を示す正面図である。
【図２】支持機構の主要な構成を示すパチンコ機の破断図である。
【図３】（ａ）は支持機構の主要な構成を示す正面図であり、（ｂ）は図２のＡ１−Ａ１線断面図であり、（ｃ）は図３（ｂ）のＢ１−Ｂ１線断面図であり、（ｄ）は図３（ｂ）のＣ１−Ｃ１線断面図である。
【図４】上側支持機構を示す概略図として、（ａ）は図３（ａ）のＤ１−Ｄ１線断面図であり、（ｂ）は図４（ａ）のＥ１―Ｅ１線断面図である。
【図５】下側支持機構を示す概略図として、（ａ）は図３（ａ）のＦ１−Ｆ１線断面図であり、（ｂ）は図５のＧ１−Ｇ１線断面図である。
【図６】上下の支持機構の動作説明図である。
【図７】操作機構を示す概略図として、（ａ）は図３（ａ）のＨ１−Ｈ１線断面図であり、（ｂ）は図７のＩ１−Ｉ１線断面図である。
【図８】操作機構の動作説明図である。
【図９】外枠からの遊技機本体の取り外し作業を示す概略図である。
【図１０】外枠への遊技機本体の取り付け作業を示す概略図である。
【図１１】パチンコ機の電気的構成を示すブロック図である。
【図１２】第２の実施の形態における支持機構として、（ａ）は支持機構の主要な構成を示す正面図であり、（ｂ）は図１２のＡ２−Ａ２線断面図である。
【図１３】上側支持機構を示す概略図として、（ａ）は図１２のＤ２−Ｄ２線断面図であり、（ｂ）は図１３（ａ）のＥ２―Ｅ２線断面図であり、（ｃ）は図１３のＥ３−Ｅ３線断面図である。
【図１４】下側支持機構を示す概略図として、（ａ）は図１２のＦ２−Ｆ２線断面図であり、（ｂ）は図１４（ａ）のＧ２−Ｇ２線断面図である。
【図１５】外枠からの遊技機本体の取り外し作業を示す概略図である。
【図１６】外枠への遊技機本体の取り付け作業を示す概略図である。
【発明を実施するための形態】
【００１１】
＜第１の実施の形態＞
以下、遊技機の一種であるパチンコ遊技機（以下、「パチンコ機１０という）の一実施の形態を、図面に基づいて詳細に説明する。図１はパチンコ機１０の正面図である。
【００１２】
パチンコ機１０は、当該パチンコ機１０の外殻を形成する外枠１１と、この外枠１１に対して前方に回動可能に取り付けられた遊技機本体１２とを有する。外枠１１は木製の板材を四辺に連結し構成されるものであって矩形枠状をなしている。パチンコ機１０は、外枠１１を島設備に取り付け固定することにより、遊技ホールに設置される。
【００１３】
遊技機本体１２は、ベース体としての内枠１３と、その内枠１３の前方に配置される前扉枠１４と、内枠１３の後方に配置される裏パックユニット（図示略）とを備えている。遊技機本体１２のうち内枠１３が外枠１１に対して回動可能に支持されている。詳細には、パチンコ機１０の正面視で左側を回動基端側、右側を回動先端側として内枠１３が前方へ回動可能とされている。
【００１４】
内枠１３には、前扉枠１４が回動可能に支持されており、正面視で左側を回動基端側とし右側を回動先端側として前方へ回動可能とされている。また、内枠１３には、裏パックユニットが回動可能に支持されており、正面視で左側を回動基端側とし右側を回動先端側として後方へ回動可能とされている。
【００１５】
前扉枠１４は内枠１３における前面側のほぼ全域を覆うようにして設けられている。前扉枠１４には後述する遊技領域のほぼ全域を前方から視認することができるようにした窓部２１が形成されている。窓部２１は、略楕円形状をなし、透明性を有するガラス２２が嵌め込まれている。
【００１６】
窓部２１の周囲には、ＬＥＤ等の発光手段を内蔵したランプ部２３と、効果音などが出力されるスピーカ部２４とが設けられ、それぞれ遊技状態に応じた演出が行われる。窓部２１の下方には、前側へ膨出した上側膨出部３１と下側膨出部３２とが上下に並設されている。上側膨出部３１内側には上方に開口した上皿３３が設けられており、下側膨出部３２内側には同じく上方に開口した下皿３４が設けられている。上皿３３は、後述する払出装置より払い出された遊技球を一旦貯留し、一列に整列させながら後述する遊技球発射機構側へ導くための機能を有する。また、下皿３４は、上皿３３内にて余剰となった遊技球を貯留する機能を有する。
【００１７】
内枠１３には、遊技盤（図示略）が設けられている。遊技盤の前面を前扉枠１４の窓部２１が覆うことにより、パチンコ機１０における遊技が主に行われる遊技領域が形成されている。また、前扉枠１４における下皿３４の右方には、前側へ突出するようにして遊技球発射ハンドル３５が設けられ、遊技球発射ハンドル３５が操作されることにより、遊技領域に遊技球が発射される。遊技盤には、一般入賞口（図示略）、可変入賞装置（図示略）、作動口（図示略）、可変表示ユニット（図示略）等がそれぞれ設けられている。一般入賞口、可変入賞装置及び作動口に遊技球が入ると、所定数の賞球の払い出しが実行される。その他に、遊技盤の最下部にはアウト口（図示略）が設けられており、各種入賞口等に入らなかった遊技球はアウト口を通って遊技領域から排出される。また、遊技盤には、遊技球の流下経路を適宜分散，調整等するために多数の釘（図示略）が植設されているとともに、風車等の各種部材（図示略）が配設されている。これら釘や風車等の各種構成によって、遊技球の流下経路が分化され、上述した一般入賞口等への入賞が適度な確率で発生するように調整されている。
【００１８】
可変表示ユニットは、作動口への入賞をトリガとして図柄を可変表示する図柄表示装置（図示略）を備えている。図柄表示装置は、液晶ディスプレイ（表示画面）を備えた液晶表示装置として構成されており、後述する表示制御装置によりその表示内容が制御されている。具体的には、表示画面においては、上段，中段及び下段に並べて図柄が表示され、これらの図柄が左右方向にスクロールされるようにして変動表示される。そして、大当たり発生時には、予め設定されている有効ライン上に所定の組合せの図柄が停止表示され、特別遊技状態へと移行される。
【００１９】
可変入賞装置は、通常は遊技球が入賞できない又は入賞しにくい閉状態になっており、大当たりの際に遊技球が入賞しやすい所定の開放状態に切り換えられるようになっている。可変入賞装置の開放態様としては、所定時間（例えば３０秒間）の経過又は所定個数（例えば１０個）の入賞を１ラウンドとして、同可変入賞装置の開放が複数ラウンド（例えば１５ラウンド）を上限として繰り返されるように設定されている。
【００２０】
遊技盤の背面には、図柄表示装置を制御する表示制御装置（図示略）と、表示制御装置やランプ部２３、スピーカ部２４を制御する音声ランプ制御装置（図示略）とが取り付けられている。これらについては後に説明する。
【００２１】
裏パックユニットは、遊技ホールの島設備からの遊技球の供給を払出装置（図示略）により払出しを行う払出機構部（図示略）と、遊技球の払出しに際して通過通路となる排出通路盤（図示略）と、制御装置集合ユニット（図示略）とが取り付けられている。制御装置集合ユニットには、払出装置を制御する払出制御装置（図示略）と島設備からの電源供給や遊技球発射ハンドル３５の操作による遊技球の発射制御に関連した電源・発射制御装置（図示略）とが搭載されている。これらについては後に説明する。
【００２２】
（遊技機本体１２の支持機構）
次に遊技機本体１２の支持機構４０について、図２及び図３を参照して説明する。図２はパチンコ機１０の遊技機本体１２を一部破断した破断図であり、図３（ａ）は支持機構４０の主要な構成を示す正面図であり、図３（ｂ）は図２におけるＡ１−Ａ１線断面図であり、図３（ｃ）は図３（ｂ）におけるＢ１−Ｂ１線断面図であり、図３（ｄ）は図３（ｂ）におけるＣ１−Ｃ１線断面図である。
【００２３】
図２に示すように、支持機構４０はパチンコ機１０の外枠１１と遊技機本体１２との横側の一端に備えられ、詳細には正面視で左方に備えられている。支持機構４０は、上端に配置される上側支持機構４１と下端に配置される下側支持機構４２と、当該上側支持機構４１と当該下側支持機構４２とに挟まれるように配置される移動体４３とにより構成されている。また、パチンコ機１０には、支持機構４０を遊技機本体１２の前面から操作可能とする操作機構４４が備えられている。
【００２４】
図３（ａ）及び図３（ｂ）に示すように、上側支持機構４１は、外枠１１に備えられた金属製の上側支持体４５と、遊技機本体１２に備えられた金属製の上側被支持体４６とからなる。上側支持機構４１は上側支持体４５と上側被支持体４６とにより、外枠１１に対して遊技機本体１２を回動可能に支持している。下側支持機構４２は、外枠１１に備えられた金属製の下側支持体４７と、遊技機本体１２に備えられた金属製の下側被支持体４８と、外枠１１に備えられ下側被支持体４８を下方から受ける金属製の支持板４９とからなる。下側支持機構４２は、下側支持体４７と下側被支持体４８とにより外枠１１に対して遊技機本体１２を回動可能に支持するとともに、支持板４９により遊技機本体１２を下方から支持している。
【００２５】
外枠１１の上側支持機構４１と下側支持機構４２との間には、金属製の移動体４３が縦方向に延在している。移動体４３の側面は外枠１１の左側の側枠部と平行となり、また、移動体４３の外枠１１とは反対側の側面には横方向へ膨出した段差部４３０が形成されている。当該段差部４３０の縦方向の長さは移動体４３の縦方向の長さと略同一であり、また、当該段差部４３０の前面には遊技機本体１２の背面の一部と当接するための鉛直な押圧面４３１が形成されている。また移動体４３には、移動体４３の移動規制手段として上下一対の移動体規制部４３２が形成され、移動体４３の移動付勢手段として上下一対の移動体付勢部４３３が形成されている。ここで移動体４３の移動について図３（ｃ）及び図３（ｄ）を用いて説明する。
【００２６】
移動体規制部４３２には図３（ｃ）に示すとおり、移動体４３を横方向に貫通し前後方向に長い貫通孔である横側移動孔４３２ａが形成されている。また、外枠１１の左側の側枠部からは移動体４３へ向け横側シャフト４３２ｂが起立し、当該横側シャフト４３２ｂが横側移動孔４３２ａに挿通されている。これにより移動体４３は横側移動孔４３２ａの前後方向の長さの範囲で移動可能となっている。また、横側シャフト４３２ｂの先端は縦方向に折れ曲がっており、横側シャフト４３２ｂから移動体４３が横方向に抜け出ることが防止されている。なお、移動体４３の側面には横側シャフト４３２ｂの折れ曲がりに対応して凹みが形成され、横側シャフト４３２ｂが移動体４３の側面から突出しないようになっている。
【００２７】
移動体付勢部４３３は図３（ｄ）に示すとおり、移動体４３の後面が前方向に凹んだ移動体凹部４３３ａが形成されている。また、外枠１１の左側の側枠部からは横方向に起立した後側壁部４３３ｂが形成されている。移動体凹部４３３ａと後側壁部４３３ｂとの間にはコイルバネである移動体バネ４３３ｃが配置され、移動体４３は前方に付勢されている。
【００２８】
上記構成により、移動体４３は後方に移動し横側シャフト４３２ｂが横側移動孔４３２ａの前端と当接する第１位置から、前方に移動し横側シャフト４３２ｂが横側移動孔４３２ａの後端と当接する第２位置までの間で前後方向に移動可能であり、移動体バネ４３３ｃにより前方に付勢されている。なお、移動体バネ４３３ｃは、移動体４３がいずれの位置に配置されても移動体付勢部４３３から抜け出ないように、後側壁部４３３ｂへ固定されている。
【００２９】
次に、上側支持機構４１について図４を用いて説明する。図４（ａ）は図３におけるＤ１−Ｄ１線断面を一部破断した破断図であり、図４（ｂ）は図４（ａ）におけるＥ１−Ｅ１線断面を一部破断した破断図である。なお、図４においては、他の構成との区別のため移動体４３にドットハッチングを付与している。
【００３０】
上側支持機構４１では、上側支持体４５の下面に形成され下方に起立した上側支持軸４５０を、上側被支持体４６に形成され縦方向に貫通した貫通孔である上側軸孔４６０へ挿通することで、外枠１１に対して遊技機本体１２を回動可能に支持している。上側被支持体４６は、移動体４３が前方へ移動した場合に移動体４３の前面と当接するように、その後側が下方に折れ曲っている。上側支持体４５の後部の下面からは上側移動規制部４５１が移動体４３へ向けて膨出し、移動体４３の上端と当接している。上側移動規制部４５１には、横方向に貫通し縦方向に長い貫通孔である上側移動孔４５２が形成されている。また、外枠１１の左側の側枠部からは移動体４３へ上側シャフト４５３が起立し、当該上側シャフト４５３が上側移動孔４５２に挿通されている。これにより、上側支持体４５は上側移動孔４５２の縦方向の長さの範囲で縦方向に移動可能となっている。
【００３１】
ここで、上側移動孔４５２の縦方向の長さは、上側支持体４５の上側支持軸４５０の縦方向の長さよりも長く設定されている。また、上側シャフト４５３の先端は横方向に折れ曲がっており、上側シャフト４５３から上側支持体４５が横方向に抜け出ることが防止されている。なお、上側移動規制部４５１の側面には上側シャフト４５３の折れ曲がりに対応して凹みが形成され、上側シャフト４５３が上側移動規制部４５１の側面から突出しないようになっている。また、上側支持体４５の上面と外枠１１の上側の壁部との間にはコイルバネである上側バネ４５４が配置され、上側支持体４５を下方へ付勢している。
【００３２】
上記構成により、上側支持体４５は上側移動孔４５２の縦方向の長さの範囲で移動可能であり、上側支持体４５が当該移動範囲の最下端である上側支持位置へ移動すると、上側支持軸４５０は上側軸孔４６０へ挿通された状態となり、上側支持体４５は遊技機本体１２を外枠１１に対して軸支した状態となる。一方で、上側支持体４５が移動範囲の最上端である上側解除位置へ移動すると、上側支持軸４５０は上側軸孔４６０から抜け出した状態となり、上側支持体４５は遊技機本体１２を外枠１１に対して軸支しない状態となる。また、上側バネ４５４により上側支持体４５は上側支持位置側へ付勢されているため、上側支持体４５は遊技機本体１２を軸支した状態に保たれることとなる。
【００３３】
上側支持体４５は、移動体４３の移動に伴って上側支持位置と上側解除位置との間を移動可能となっている。この移動は、上側支持体４５における上側移動規制部４５１の下面が移動体４３の上面に当接することにより実現されている。具体的には、移動体４３の上面は、前方に行くほど下方に向かうように傾斜している上側傾斜面４３４と、当該上側傾斜面４３４よりも後側の略水平な面とからなり、これに対して上側移動規制部４５１の下面は前方に行くほど下方に向かうように傾斜している。また、移動体４３が第１位置に配置される場合には、上側移動規制部４５１の下面と上側傾斜面４３４とが当接し、上側支持体４５は上側支持位置に配置されている。
【００３４】
これにより、移動体４３が第１位置から前方へ移動すると、上側傾斜面４３４が上側移動規制部４５１を前方に押圧してその傾斜により上側支持体４５を上方に移動させ、上側支持体４５は上側解除位置へと移動する。また、移動体４３の移動範囲内において、上側移動規制部４５１と上側傾斜面４３４よりも後側の面とが当接している間は、上側支持体４５は移動せず上側解除位置に保たれる。これにより、移動体４３の移動に伴い、上側支持体４５の軸支と軸支の解除とを可能とし、また、軸支に伴う上側支持体４５の移動範囲を省スペースに限ることが可能となっている。
【００３５】
また、移動体４３が第１位置から前方へ移動して、上側被支持体４６の背面と移動体４３の前面とが当接するまでの間に、上側支持体４５の上側支持軸４５０は上側被支持体４６の上側軸孔４６０から抜け出した状態となるように、上側傾斜面４３４及び上側移動規制部４５１の傾斜と移動体４３の配置箇所とが設定されている。これにより、遊技機本体１２を移動させずに上側支持機構４１の軸支を解除させることが可能となっている。また、上側支持軸４５０に対する上側軸孔４６０の遊びを、軸支の安定性の観点から狭く設定することが可能となっている。
【００３６】
ここで、上側支持体４５に直接外力を付与して上側支持体４５を上側解除位置へ移動させられないように、上側移動規制部４５１に形成された上側移動突起４５５が、移動体４３に形成された上側移動レール４３４ａによって上方から支持されている。具体的には、上側移動突起４５５は上側移動規制部４５１の下端から横方向に突出して形成され、また上側移動レール４３４ａは移動体４３の上面から上方に起立し前後方向に延在するように形成されており、上側移動レール４３４ａが横方向に折れ曲ることで上側移動突起４５５と係合している。
【００３７】
これにより、移動体４３の移動を伴わない上側支持体４５の縦方向の移動を制限している。また、上側支持体４５がいずれの位置に配置される場合においても、移動体４３の移動を伴わずに上側支持体４５を移動させることが不可となっている。ただし、上側移動レール４３４ａは、少なくとも上側支持体４５が上側被支持体４６を軸支している場合において、上側支持体４５に直接外力を付与して、移動体４３の移動を伴わずに上側支持体４５を上方へ移動させられなければよい。つまり、上側支持体４５が上側支持位置に配置される場合において上側支持体４５が移動体４３に対して係止されていればよく、上側支持体４５が上側解除位置に配置されている場合には上側支持体４５は移動体４３に対して係止されていなくてもよい。
【００３８】
また、外枠１１には上側支持体４５を上方から覆い包むように上側保護カバー４５６が形成されている。当該上側保護カバー４５６の下端は上側被支持体４６の上面と略水平となっている。これにより、少なくとも遊技機本体１２が外枠１１に対して軸支されている状態では、遊技機本体１２の前方から上側支持体４５を操作することが不可となっている。
【００３９】
ここで、遊技機本体１２は外枠１１に対して、外枠１１の上枠部の外縁と遊技機本体１２の上端とが重なるように、かつ外枠１１の左右の側枠の外縁と遊技機本体１２の左右の側端とが重なるように、装着される。このようなパチンコ機１０において、上側支持機構４１は外枠１１の上枠部及び左側の側枠部の外縁より内方に配置されている。詳細には、外枠１１に設けられた上側支持体４５は、外枠１１の上枠部の外縁よりも下方であり、且つ外枠１１の左側の側枠部の外縁よりも右方に配置されている。また、上側支持体４５は上側支持位置、上側解除位置のいずれの位置に配置される場合においても、外枠１１の上枠部の外縁よりも下方に配置される。さらに上側保護カバー４５６の上端は外枠１１の上枠部の外縁よりも下方に配置され、上側保護カバー４５６の左端は外枠１１の左側の側枠部の外縁よりも右方に配置されている。これにより、上側支持機構４１は外枠１１の外縁よりも外方に突出しない範囲で配置されることとなり、限られた島設備のスペースの中で、上述の如く外枠１１に対して遊技機本体１２を回動可能に支持することを可能としている。
【００４０】
また、上側支持体４５が上側支持位置に配置される場合、上側支持体４５の下面と上側被支持体４６における上面とが当接している。そして、上側支持体４５の上側支持軸４５０が上側被支持体４６における上側軸孔４６０に上方から差し込まれている。これにより、上側軸孔４６０を上方へ移動させようとしても、その周縁が上側支持軸４５０のベース板に下方から当接しているため上方へは移動できない。したがって、遊技機本体１２は、少なくとも上側支持体４５が上側支持位置に配置される場合には、上方への移動が制限されている。
【００４１】
次に、下側支持機構４２について図５を用いて説明する。図５（ａ）は図３におけるＦ１−Ｆ１線断面を一部破断した破断図であり、図５（ｂ）は図５（ａ）におけるＧ１−Ｇ１線断面を一部破断した破断図である。なお、図５においては、他の構成との区別のため移動体４３にドットハッチングを付与している。
【００４２】
下側支持機構４２では、下側支持体４７の上面に形成され上方に起立した下側支持軸４７０を、下側被支持体４８に形成され縦方向に貫通した貫通孔である下側軸孔４８０へ挿通することで、外枠１１に対して遊技機本体１２を回動可能に支持している。下側被支持体４８は、移動体４３が前方へ移動した場合に移動体４３の前面と当接するように、その後側が上方に折れ曲っている。また、下側支持体４７と下側被支持体４８との間には板状の支持板４９が配置されている。当該支持板４９にも下側軸孔４８０と対応する位置に縦方向に貫通した貫通孔である支持板貫通孔４９０が形成され、下側支持軸４７０が支持板貫通孔４９０に挿通されている。これにより、下側支持体４７は遊技機本体１２を外枠１１に対して回動可能に支持している。
【００４３】
支持板４９は、外枠１１の下枠部に対して上面が略同一面となるように外枠１１に支持されている。また支持板４９及び外枠１１の下枠部は、遊技機本体１２が外枠１１に装着された場合における遊技機本体１２の底面よりも前方に突出して延在している。支持板４９の上面と下側被支持体４８の下面とは面で接触している。これにより、支持板４９は遊技機本体１２の下側被支持体４８を下方から支持し、遊技機本体１２が下側支持体４７による軸支が可能な位置よりも前方に移動した場合おいても、下側被支持体４８を下方から支持することが可能となっている。また、遊技機本体１２の安定性を確保すべく、遊技機本体１２は、支持板４９と外枠１１の下枠部とによって、遊技機本体１２の底面の横方向の長さ全体において下方から支持されている。なお、支持板４９の上面は低摩擦化処理が施されていてもよい。
【００４４】
下側支持体４７の後部の上面からは下側移動規制部４７１が移動体４３へ向けて膨出し、移動体４３の下端と当接している。下側移動規制部４７１には、横方向に貫通し縦方向に長い貫通孔である下側移動孔４７２が形成されている。また、外枠１１の左側の側枠部からは移動体４３へ向け下側シャフト４７３が起立し、当該下側シャフト４７３が下側移動孔４７２に挿通されている。これにより、下側支持体４７は下側移動孔４７２の縦方向の長さの範囲で縦方向に移動可能となっている。ここで、下側移動孔４７２の縦方向の長さは、下側支持体４７の下側支持軸４７０の縦方向の長さよりも長く設定されている。また、下側シャフト４７３の先端は横方向に折れ曲がっており、下側シャフト４７３から下側支持体４７が横方向に抜け出ることが防止されている。なお、下側移動規制部４７１の側面には下側シャフト４７３の折れ曲がりに対応して凹みが形成され、下側シャフト４７３が下側移動規制部４７１の側面から突出しないようになっている。また、下側支持体４７の下面と外枠１１の下側の壁部との間にはコイルバネである下側バネ４７４が配置され、下側支持体４７を上方へ付勢している。
【００４５】
上記構成により、下側支持体４７は下側移動孔４７２の縦方向の長さの範囲で移動可能であり、下側支持体４７が当該移動範囲の最上端である下側支持位置へ移動すると、下側支持軸４７０は下側軸孔４８０と支持板貫通孔４９０とへ挿通された状態となり、下側支持体４７は遊技機本体１２を外枠１１に対して軸支した状態となる。一方で、下側支持体４７が移動範囲の最下端である下側解除位置へ移動すると、下側支持軸４７０は下側軸孔４８０から抜け出した状態となり、下側支持体４７は遊技機本体１２を外枠１１に対して軸支しない状態となる。また、下側バネ４７４により下側支持体４７は下側支持位置側へ付勢されているため、下側支持体４７は遊技機本体１２を軸支した状態に保たれることとなる。さらに、下側支持体４７はいずれの位置に配置されせる場合においても外枠１１の下縁又はそれよりも上方に配置されることから、下側支持体４７の移動範囲が外枠１１の縦方向及び横方向の範囲内となり、島設備の限られたスペース内で上記の動作を可能としている。
【００４６】
下側支持体４７は、移動体４３の移動に伴って下側支持位置と下側解除位置との間を移動可能となっている。この移動は、下側支持体４７における下側移動規制部４７１の上面が移動体４３の下面に当接することにより実現されている。具体的には、移動体４３の下面は、前方に行くほど上方に向かうように傾斜している下側傾斜面４３５と、当該下側傾斜面４３５よりも後側の略水平な面とからなり、これに対して下側移動規制部４７１の上面は前方に行くほど上方に向かうように傾斜している。また、移動体４３が第１位置に配置される場合には、下側移動規制部４７１の上面と下側傾斜面４３５とが当接し、下側支持体４７は下側支持位置に配置されている。これにより、移動体４３が第１位置から前方へ移動すると、下側傾斜面４３５が下側移動規制部４７１を前方に押圧してその傾斜により下側支持体４７を下方に移動させ、下側支持体４７は下側解除位置へと移動する。また、移動体４３の移動範囲内において、下側移動規制部４７１と下側傾斜面４３５よりも後側の面とが当接している間は、下側支持体４７は移動せず下側解除位置に保たれる。これにより、移動体４３の移動に伴い、下側支持体４７の軸支と軸支の解除とを可能とし、また、軸支に伴う下側支持体４７の移動範囲を省スペースに限ることが可能となっている。
【００４７】
また、移動体４３が第１位置から前方へ移動して、下側被支持体４８の背面と移動体４３の前面とが当接するまでの間に、下側支持体４７の下側支持軸４７０は下側被支持体４８の下側軸孔４８０から抜け出した状態となるように、下側傾斜面４３５及び下側移動規制部４７１の傾斜と移動体４３の配置箇所とが設定されている。これにより、遊技機本体１２を移動させずに下側支持機構４２の軸支を解除させることが可能となっている。また、下側支持軸４７０に対する下側軸孔４８０の遊びを、軸支の安定性の観点から狭く設定することが可能となっている。
【００４８】
ここで、下側支持体４７に直接外力を付与して下側支持体４７を下側解除位置へ移動させられないように、下側移動規制部４７１に形成された下側移動突起４７５が、移動体４３に形成された下側移動レール４３５ａによって下方から支持されている。具体的には、下側移動突起４７５は下側移動規制部４７１の上端から横方向に突出して形成され、また下側移動レール４３５ａは移動体４３の下面から下方に起立し前後方向に延在するように形成されており、下側移動レール４３５ａが横方向に折れ曲ることで下側移動突起４７５と係合している。これにより、移動体４３の移動を伴わない上側支持体４５の縦方向の移動を制限している。また、下側支持体４７がいずれの位置に配置される場合においても、移動体４３の移動を伴わずに下側支持体４７を移動させることが不可となっている。ただし、下側移動レール４３５ａは、少なくとも下側支持体４７が下側被支持体４８を軸支している場合において、下側支持体４７に直接外力を付与して、移動体４３の移動を伴わずに下側支持体４７を下方へ移動させられなければよい。つまり、下側支持体４７が下側支持位置に配置される場合において下側支持体４７が移動体４３に対して係止されていればよく、下側支持体４７が下側解除位置に配置されている場合には下側支持体４７は移動体４３に対して係止されていなくてもよい。
【００４９】
また、外枠１１には下側支持体４７を下方から覆い包むように下側保護カバー４７６が形成されている。当該下側保護カバー４７６の上端は支持板４９の上面と略水平となっている。これにより、少なくとも遊技機本体１２が外枠１１に対して軸支されている状態では、遊技機本体１２の前方から下側支持体４７を操作することが不可となっている。
【００５０】
ここで、外枠１１の下枠部は下側保護カバー４７６よりも下方まで延在している。また下側保護カバー４７６の左端は、外枠１１の左側の側枠部の外縁よりも右方に配置されている。したがって、下側支持体４７は、下側支持位置及び下側解除位置のいずれに配置される場合であっても外枠１１の下枠部の内部に配置されることとなる。これにより、下側支持機構４２は外枠１１の外縁よりも外方に突出しない範囲で配置されることとなり、限られた島設備のスペースの中で、上述の如く外枠１１に対して遊技機本体１２を回動可能に支持することを可能としている。
【００５１】
また、下側被支持体４８の下面と支持板４９における上面とが当接している。そして遊技機本体１２の底面と外枠１１の下枠部における上面とが当接している。上述の通り遊技機本体１２の上方への移動は制限されているため、遊技機本体１２の底面と外枠１１の下枠部との間に隙間を生じさせることが不可となっている。
【００５２】
次に、上側支持機構４１、下側支持機構４２及び移動体４３の動作について図６を用いて説明する。図６（ａ）は移動体４３が第１位置に配置される場合において、移動体４３と上側支持機構４１と下側支持機構４２とを側面から示す概略図であり、図６（ｂ）は移動体４３が第１位置よりも前方へ移動した場合において、移動体４３と上側支持機構４１と下側支持機構４２とを側面から示す概略図である。なお、図６においては、他の構成との区別のため移動体４３にドットハッチングを付与している。
【００５３】
図６（ａ）のとおり、移動体４３が第１位置に配置された状態において、上側支持機構４１では、移動体４３の上側傾斜面４３４と、上側支持体４５における上側移動規制部４５１の下面とが当接しており、且つ上側移動突起４５５が上側移動レール４３４ａに係合し、上側支持体４５は上側支持位置に配置される。また、下側支持機構４２では、移動体４３の下側傾斜面４３５と、下側支持体４７における下側移動規制部４７１の上面とが当接しており、且つ下側移動突起４７５が下側移動レール４３５ａに係合し、下側支持体４７は下側支持位置に配置される。
【００５４】
移動体４３が前方に移動すると、上側移動規制部４５１の下面は移動体４３の上側傾斜面４３４に押圧され、上側支持体４５が上方に移動する。また、下側移動規制部４７１の下面は移動体４３の下側傾斜面４３５に押圧され、下側支持体４７が下方に移動する。この移動に伴い、上側移動突起４５５は上側移動レール４３４ａに沿って移動し、下側移動突起４７５は下側移動レール４３５ａに沿って移動する。図６（ｂ）に示すとおり、移動体４３の前面が遊技機本体１２の上下の被支持体４６，４８の背面に当接する位置においては、上下の支持軸４５０，４７０は対応する軸孔４６０，４８０から抜け出した状態となる。またこの位置において、移動体４３の押圧面４３１は図示しない遊技機本体１２の背面の一部に当接する。これにより、移動体４３が第１位置から上下の被支持体４６，４８の背面及び遊技機本体１２の背面の一部と当接する位置まで移動する間に上下の支持機構４１，４２の軸支は解除されることとなる。
【００５５】
上記のように上下の支持機構４１，４２の軸支を解除させるためには移動体４３を前方へ移動させることが必要であり、反対に上下の支持機構４１，４２を軸支させるためには移動体４３を後方へ移動させる必要がある。また、上側支持体４５が上側支持位置に配置される場合には、上側支持体４５の下面と上側被支持体４６における上面とが当接しているため、遊技機本体１２は上方への移動が制限されている。さらに移動体４３によって上側支持体４５は上方への移動が制限されているため、より確実に、不正目的で遊技機本体１２を上方へ移動させることを防止することが可能となっている。
【００５６】
ここで本パチンコ機１０は、移動体４３の前後方向の動作を操作する操作機構４４を備え、また、移動体４３を第１位置に保持するべくロック機構４４０を備えている。
【００５７】
まずロック機構４４０について図７を用いて説明する。図７（ａ）は図３（ａ）におけるＨ１−Ｈ１線断面図であり、図７（ｂ）は図７（ａ）におけるＩ１−Ｉ１線断面図である。なお、図７においては、他の構成との区別のため移動体４３にドットハッチングを付与している。
【００５８】
ロック機構４４０は、外枠１１の横側の壁部に配置されたロック板４４１と、移動体４３に形成されたロック孔４４２とからなり、ロック板４４１がロック孔４４２に嵌合することで移動体４３を第１位置に保持している。詳細には、外枠１１の左側の側枠部には移動体４３の移動を制限しないように移動体４３の反対方向へ凹んだロック板収納部４４３が形成されており、当該ロック板収納部４４３において前後方向に架橋されたロック板回動軸４４４によりロック板４４１は回動可能に支持されている。なお、ロック板収納部４４３には図示しない板バネが配置されており、当該板バネの付勢力により、ロック板４４１の回動は横方向に起立する方向へ付勢されている。また、ロック板４４１が横方向に起立した状態において、ロック板４４１の上面とロック板収納部４４３の上側の壁面とが当接しており、ロック板４４１の回動は横方向に起立した状態で保持されている。またロック孔４４２は、ロック板４４１が横方向から嵌合可能な大きさで横方向に貫通し縦方向に長い貫通孔として移動体４３に形成されている。またロック孔４４２は、移動体４３が第１位置に配置される場合にロック板４４１が嵌合可能で、移動体４３が第２位置に配置される場合には嵌合不可である位置に形成されている。これにより、移動体４３が第１位置に配置される場合において、ロック板４４１は移動体４３のロック孔４４２に嵌合している。
【００５９】
上記構成により、ロック板４４１は横方向に起立したロック位置と下方へ回動したロック解除位置との範囲で回動可能であり、板バネによりロック位置へと付勢されている。また、移動体４３の左側の壁部とロック孔４４２とにより、移動体４３が第１位置に配置される場合にはロック板４４１はロック孔４４２と勘合したロック位置に配置され、移動体４３の前方への移動をロックする。また、移動体４３が第２位置に配置される場合には、ロック板４４１はロック解除位置に配置され移動体４３の左側の壁部とロック板収納部４４３とに挟まれた状態となる。
【００６０】
次に操作機構４４について説明する。
【００６１】
操作機構４４は、遊技機本体１２の前面から操作する部材であるＴ字状の操作レバー４４５と、当該操作レバー４４５から後方に延びる操作棒４４６とからなる。操作機構４４は、内枠１３に形成され前後方向に貫通した図示しない貫通孔に挿通されており、内枠１３に対して前後方向に移動可能に支持されている。また、操作機構４４は、当該貫通孔により前後方向の回動軸を中心として回動可能に支持されている。操作レバー４４５及び操作棒４４６は一体的に上記の動作が可能となっている。操作レバー４４５の後方と当該内枠１３の貫通孔との間にはコイルバネである操作機構バネ４４６ｂが配置され、操作棒４４６が当該操作機構バネ４４６ｂの中央を貫通し操作機構４４は前方へ付勢されている。
【００６２】
操作機構４４が最後部に配置される場合、操作棒４４６の最後部は移動体４３の押圧面４３１と当接している。操作棒４４６の最後部は、ロック孔４４２に嵌合可能な突起として解除突起部４４６ａが形成されており、操作機構４４が最後部に配置される場合において、上方に起立している。また、操作レバー４４５の前側は操作レバー４４５を握ることが可能な取っ手として操作取っ手４４５ａが形成され、操作機構４４が最後部に配置される場合において、操作棒４４６に対して上下に起立している。
【００６３】
操作機構４４は図１に示すように、操作機構４４が最後部に配置される場合において、操作取っ手４４５ａが遊技機本体１２の内枠１３の前面に埋設されており、操作取っ手４４５ａの前面が遊技機本体１２の前面と同一面となるように配置されている。前扉枠１４の前面は操作取っ手４４５ａを囲うように破断されており、内枠１３と操作取っ手４４５ａとが前方へ露出している。
【００６４】
上記構成により、前扉枠１４を内枠１３に対して閉鎖した場合においては、操作機構４４は遊技機本体１２の前面に操作取っ手４４５ａが露出し、操作棒４４６の最後部が移動体４３の押圧面４３１と当接した状態で配置される。また前扉枠１４を内枠１３に対して回動した場合においても、操作機構４４は内枠１３に保持され、上記の状態は保たれることとなる。
【００６５】
また、操作機構４４は図２に示すとおり、シリンダ錠３６からリンクしたリンク棒４４７により前方の移動が制限されている。詳細には、リンク棒４４７は、横方向に延在する棒状の部材であり、内枠１３に形成され横方向に貫通した図示しない貫通孔に挿通され、内枠１３に対して横方向に移動可能に支持されている。また、操作レバー４４５には横方向に貫通した貫通孔である操作貫通孔４４５ｂが形成されており、当該操作貫通孔４４５ｂにリンク棒４４７が挿通されている。リンク棒４４７の当該操作貫通孔４４５ｂへ挿通されている側と反対側は、シリンダ錠３６とリンクしている。詳細には、リンク棒４４７とシリンダ錠３６とはラックアンドピニオンの関係にあり、シリンダ錠３６の外周に形成されたラック（歯車）３６ａとリンク棒４４７の上側に形成されたピニオン（歯竿）４４７ａとがかみ合っており、シリンダ錠３６の回動がリンク棒４４７へ横方向の運動として伝わるようになっている。すなわちシリンダ錠３６の鍵穴に差し込んだキーを左（反時計回り）に回すとリンク棒４４７は右方に移動し、逆に右（時計回り）に回すとリンク棒４４７は左方に移動することとなる。
【００６６】
上記構成により、シリンダ錠３６の鍵穴に差し込んだキーを回さない状態においては、リンク棒４４７は操作貫通孔４４５ｂへ挿通されており、操作機構４４の前方への移動は阻止されている。また、キーを左に回すと、リンク棒４４７は右方へ移動し、操作貫通孔４４５ｂから抜け出し、操作機構４４の前方への移動が解除される。一方で、キーを右に回すと、リンク棒４４７は左方へ移動するが、操作貫通孔４４５ｂへは挿通されたままであり操作機構４４の前方への移動は解除されない。
【００６７】
図示はしないが、本実施の形態では、シリンダ錠３６の鍵穴に差し込んだキーを左に回すと遊技機本体１２の外枠１１に対する施錠が解かれ、逆に右に回すと前扉枠１４の内枠１３に対する施錠が解かれる。したがって、上記の操作機構４４の解除操作は遊技機本体１２の施錠の解除とともに行われることとなる。また、前扉枠１４の施錠の解除によっては操作機構４４の解除操作は行われない。
【００６８】
ここで、図６に示すとおり、ロック孔４４２は操作機構４４が前方へ移動した場合において解除突起部４４６ａが嵌合可能な位置に配置されている。そのため、ロック孔４４２に解除突起部４４６ａを嵌合させためには、作業者は操作機構４４を前方へ移動させ嵌合可能な位置に位置合わせを行い、回動させることで、ロック孔４４２へ解除突起部４４６ａが嵌合する。なお、操作機構４４の簡素化のため、この位置合わせは作業者によって行われるものとしたが、構造上自ずと位置決めされるものとしてもよい。例えば、操作機構４４が前方へ移動すると当該嵌合可能な位置へ一時保持され得るように、内枠１３等に操作機構４４と当接する当接部を設け、嵌合とともに当該当接が解けるような構成が考えられる。
【００６９】
次に操作機構４４とロック機構４４０と移動体４３との連動について図８を用いて説明する。図８（ａ−１）〜（ａ―３）は操作機構４４とロック機構４４０と移動体４３とを側面から見た概略図であり、図８（ｂ−１）〜（ｂ−３）は、それぞれ（ａ−１）〜（ａ−３）におけるＩ１−Ｉ１線断面図である。なお、図７においては、他の構成との区別のため移動体４３にドットハッチングを付与している。
【００７０】
まず、図８（ａ−１）及び図８（ｂ−１）に示すとおり、遊技機本体１２が外枠１１に対して施錠されている状態においては、操作機構４４は最後部に配置されている。この状態においては、操作機構４４は、リンク棒４４７により前方への移動が制限されているため、操作機構４４は操作不可となっている。また、移動体４３は、移動体４３のロック孔４４２へロック板４４１が嵌合しているため、移動体４３は第１位置に保持されている。ここで、前述の通りシリンダ錠３６に差し込んだキーを左に回すと、遊技機本体１２の施錠が解除されるとともに操作機構４４が前方へ移動するが、移動体４３はロック機構４４０により第１位置に保持される。
【００７１】
操作機構４４が前方へ移動し、操作レバー４４５の操作取っ手４４５ａが遊技機本体１２の前面よりも突出すると、操作機構４４は回動可能となる。操作機構４４の解除突起部４４６ａを移動体４３のロック孔４４２と位置合わせし、操作取っ手４４５ａを左（反時計回り）に回動させると、図８（ａ−２）及び図８（ｂ−２）に示すとおり、解除突起部４４６ａがロック孔４４２に嵌合するとともに、解除突起部４４６ａの回動によりロック板４４１がロック位置からロック解除位置に回動しロック孔４４２とロック板４４１との嵌合が解除される。これにより、移動体４３を操作機構４４により操作可能となり、またロック機構４４０による移動体４３のロックが解除される。解除突起部４４６ａがロック孔４４２に勘合した状態において、操作レバー４４５を前方に引き出すと、図８（ａ−３）及び図８（ｂ−３）に示すとおり、操作機構４４とともに移動体４３が第２位置まで移動する。
【００７２】
外枠１１に対する遊技機本体１２の取り外し作業について図９を用いて説明する。図９は遊技機本体１２の取り外し作業を側方から見た概略図である。なお、図９においては、他の構成との区別のため移動体４３にドットハッチングを付与している。また、図９においては遊技機本体１２の外周を２点鎖線により表示している。
【００７３】
外枠１１から遊技機本体１２を取り外す作業前においては、図９（ａ）に示すように、移動体４３は第１位置に配置され、上下の支持体４５，４７はそれぞれの支持位置に配置されており、遊技機本体１２は外枠１１に対して支持されている。操作機構４４は、最後部にてリンク棒４４７により前方への移動が阻止されている。
【００７４】
ここで、シリンダ錠３６に差し込んだキーを左に回し、操作レバー４４５の操作取っ手４４５ａが遊技機本体１２の前面よりも突出した位置にて操作機構４４を左に回動させると、図９（ｂ）に示すとおり、移動体４３は操作機構４４により操作可能となり、ロック機構４４０による移動体４３のロックが解除される。この状態において、操作機構４４を前方に引き出すと、操作機構４４とともに移動体４３が前方に移動する。
【００７５】
移動体４３が前方へ移動すると図９（ｃ）に示すとおり、上側支持体４５は上方へ移動し、下側支持体４７は下方へ移動し、上下の支持機構４１，４２の軸支は解除される。また、移動体４３がさらに前方へ移動し、移動体４３の前面が遊技機本体１２の上下の被支持体４６，４８の背面に当接し、且つ移動体４３の押圧面４３１が遊技機本体１２の背面の一部に当接する。
【００７６】
ここで、作業者が左手で操作機構４４をさらに前方へ引き出すと、図９（ｄ）に示すように、移動体４３の前面が遊技機本体１２の上下の被支持体４６，４８の背面を前方へ押圧し、また移動体４３の押圧面４３１が遊技機本体１２の背面の一部を前方へ押圧する。それに合わせて、右手で遊技機本体１２の回動先端側を前方へ引き出すことで、遊技機本体１２は支持板４９に沿って前方へ移動する。この際、遊技機本体１２の下面は、支持板４９の上をスライド移動するとともに、外枠１１の下枠部の上をスライド移動する。
【００７７】
移動体４３が前方への移動限界である第２位置まで移動した状態において、操作機構４４を右に回動させることで移動体４３との嵌合が解除され、遊技機本体１２は支持板４９及び外枠１１の下枠部に乗った状態となり取り外すことが可能となる。
【００７８】
次に遊技機本体１２を外枠１１に対して取り付ける作業について図１０を用いて説明する。図１０は遊技機本体１２の取り付け作業を側方から見た概略図である。なお、図１０においては、他の構成との区別のため移動体４３にドットハッチングを付与している。また、遊技機本体１２の外周を２点鎖線により表示している。
【００７９】
遊技機本体１２を外枠１１に取り付ける際には、上下の支持体４５，４７の移動よりも先に遊技機本体１２を支持可能な位置へと移動させるべく、操作機構４４が最後部から前方に移動した状態において作業を行う。詳細には、支持板４９に遊技機本体１２を載せた状態において、シリンダ錠３６を左に回し操作取っ手４４５ａを遊技機本体１２よりも前方へ突出させたうえで、操作機構４４を回動させずに作業を行う。また、取り付け作業前においては、移動体４３は第２位置にあり、上下の支持体４５，４７はそれぞれの解除位置に配置されている。遊技機本体１２を支持板４９に載せて支持板４９の上を水平移動させて後方へ移動させると、図１０（ａ）に示すように、遊技機本体１２の上下の被支持体４６，４８の背面が移動体４３の前面に当接し移動体４３を後方へ押圧し、且つ遊技機本体１２の背面の一部が移動体４３の押圧面４３１と当接し移動体４３を後方へ押圧し、移動体４３は後方に移動する。移動体４３が後方へ移動することで、上側支持体４５は下方へ移動し、下側支持体４７は上方へ移動するが、図１０（ｂ）に示すように、遊技機本体１２が上下の支持機構４１，４２により支持可能な位置に移動した状態においては、上下の支持機構４１，４２は遊技機本体１２を軸支していない。この状態において、操作機構４４を後方へ押し込むことで、操作機構４４の先端が移動体４３の押圧面４３１と当接し、移動体４３はさらに後方へと移動する。移動体４３の移動に伴い、上下の支持体４５，４７も移動し、それぞれ上下の支持機構４１，４２の軸支が行われる。操作機構４４を操作機構４４の前面が遊技機本体１２の前面と同一面となる位置まで押し込むと、移動体４３は第１位置まで移動し、ロック機構４４０により移動体４３は第１位置に保持される。この状態において、シリンダ錠３６に差し込んだキーを時計回りに回すと、リンク棒４４７が操作貫通孔４４５ｂに差し込まれ、操作機構４４の操作は不可となり、取り付け作業が完了する。
【００８０】
取り付け作業後は、移動体４３はロック機構４４０により第１位置に保持されるため、移動体４３及び上下の支持体４５，４７は移動しない。すなわち上下の支持体４５，４７をそれぞれの支持位置に保った状態で、上下の支持機構４１，４２を利用して遊技機本体１２を外枠１１に対して回動させることが可能となっている。また、上下の支持体４５，４７は、それぞれ移動突起４５５，４７５と移動レール４３４ａ，４３５ａとが係合しているため、移動体４３の移動を伴わずそれぞれの解除位置へと移動させることは不可となっている。また、上下の保護カバー４５６，４７６によっても、上下の支持体４５，４７の操作は不可となっている。
【００８１】
次に、パチンコ機１０の電気的構成について、図１１のブロック図に基づき説明する。図１１では、電力の供給ラインを二重線矢印で示し、信号ラインを実線矢印で示す。
【００８２】
主制御装置に設けられた主制御基板８０１には、主制御回路８０２と停電監視回路８０３とが内蔵されている。主制御回路８０２には、ＭＰＵ８１１が搭載されている。ＭＰＵ８１１には、当該ＭＰＵ８１１により実行される各種の制御プログラムや固定値データを記憶したＲＯＭ８１２と、そのＲＯＭ８１２内に記憶される制御プログラムの実行に際して各種のデータ等を一時的に記憶するためのメモリであるＲＡＭ８１３と、割込回路やタイマ回路、データ入出力回路などの各種回路が内蔵されている。
【００８３】
ＲＡＭ８１３は、パチンコ機１０の電源の遮断後においても電源・発射制御装置に設けられた電源・発射制御基板８２１からデータ記憶保持用電力が供給されてデータが保持される構成となっている。
【００８４】
ＭＰＵ８１１には、アドレスバス及びデータバスで構成されるバスラインを介して入出力ポートが接続されている。主制御回路８０２の入力側には、主制御基板８０１に設けられた停電監視回路８０３、払出制御装置に設けられた払出制御基板８２２及びその他図示しないスイッチ群などが接続されている。この場合に、停電監視回路８０３には電源・発射制御基板８２１が接続されており、主制御回路８０２には停電監視回路８０３を介して電力が供給される。
【００８５】
一方、主制御回路８０２の出力側には、停電監視回路８０３、払出制御基板８２２及び中継端子板８２３が接続されている。払出制御基板８２２には、賞球コマンドなどといった各種コマンドが出力される。中継端子板８２３を介して主制御回路８０２から音声ランプ制御装置に設けられた音声ランプ制御基板８２４に対して各種コマンドなどが出力される。
【００８６】
停電監視回路８０３は、主制御回路８０２と電源・発射制御基板８２１とを中継し、また電源・発射制御基板８２１から出力される最大電源である直流安定２４ボルトの電源を監視する。
【００８７】
払出制御基板８２２は、払出装置により賞球や貸し球の払出制御を行うものである。演算装置であるＭＰＵ８３１は、そのＭＰＵ８３１により実行される制御プログラムや固定値データ等を記憶したＲＯＭ８３２と、ワークメモリ等として使用されるＲＡＭ８３３とを備えている。
【００８８】
払出制御基板８２２のＲＡＭ８３３は、主制御回路８０２のＲＡＭ８１３と同様に、パチンコ機１０の電源の遮断後においても電源・発射制御基板８２１からデータ記憶保持用電力が供給されてデータが保持される構成となっている。
【００８９】
払出制御基板８２２のＭＰＵ８３１には、アドレスバス及びデータバスで構成されるバスラインを介して入出力ポートが接続されている。払出制御基板８２２の入力側には、主制御回路８０２、電源・発射制御基板８２１、及び裏パック基板８２９が接続されている。また、払出制御基板８２２の出力側には、主制御回路８０２及び裏パック基板８２９が接続されている。裏パック基板８２９には払出装置が接続され、裏パック基板８２９から入力される払出コマンドに基づいて、遊技球の払出しが行われる。
【００９０】
電源・発射制御基板８２１は、電源部と発射制御部とを備えている。電源部は、二重線矢印で示す経路を通じて、主制御回路８０２や払出制御基板８２２等に対して各々に必要な動作電力を供給する。発射制御部は、遊技者による遊技球発射ハンドル３５の操作にしたがって遊技球発射機構の発射制御を担うものであり、遊技球発射機構は所定の発射条件が整っている場合に駆動される。
【００９１】
音声ランプ制御基板８２４は、ランプ部２３やスピーカ部２４、及び表示制御装置８２５を制御するものである。演算装置であるＭＰＵ８４１は、そのＭＰＵ８４１により実行される制御プログラムや固定値データ等を記憶したＲＯＭ８４２と、ワークメモリ等として使用されるＲＡＭ８４３とを備えている。
【００９２】
音声ランプ制御基板８２４のＭＰＵ８４１にはアドレスバス及びデータバスで構成されるバスラインを介して入出力ポートが接続されている。音声ランプ制御基板８２４の入力側には中継端子板８２３に中継されて主制御回路８０２が接続されており、主制御回路８０２から出力される各種コマンドに基づいて、ランプ部２３、スピーカ部２４、及び表示制御装置８２５を制御する。表示制御装置８２５は、音声ランプ制御基板８２４から入力する表示コマンドに基づいて図柄表示装置を制御する。
【００９３】
以上詳述した本実施の形態によれば、以下の優れた効果を奏する。
【００９４】
支持機構４０は、外枠１１に設けられた上下の支持体４５,４７の支持軸４５０，４７０を、遊技機本体１２に設けられた上下の被支持体４６，４８の軸孔４６０，４８０に挿通させることで、遊技機本体１２を外枠１１に回動可能に支持している。上下の支持体４５，４７は上下の被支持体４６，４８を支持する支持位置と、支持しない解除位置とに移動可能である。上下の支持体４５，４７が解除位置に配置される場合、上下の支持体４５,４７と上下の被支持体４６，４８とは干渉しない位置に配置される。
【００９５】
したがって、取り付け作業に際して、遊技機本体１２を後方へ移動させることで支持可能な位置へ配置させることができ、支持機構４０による軸支が可能となる。これにより、取り付け作業に際して、遊技機本体１２を縦方向に移動する必要がなく、取り付け作業の効率化を図ることが可能となる。
【００９６】
下側被支持体４８を下方から支持する支持板４９を備え、取り付けに際し当該支持板４９の上に遊技機本体１２を載せ、支持板４９の上をスライド移動させることが可能となっている。これにより、取り付けに際し、遊技機本体１２を支持板４９に沿って後方へ移動させることで、上記の軸支を行うことが可能であり、作業の作業効率と安全性の向上を図ることが可能となっている。
【００９７】
特に、支持板４９は遊技機本体１２が外枠１１に装着された場合に底面となる部位よりも前方に突出して延在している。また、支持板４９の上面と同一面となるように外枠１１の下枠部が形成されている。したがって、取り付けに際して、支持板４９と外枠１１の下枠部とに遊技機本体１２を載せたうえで後方へと移動させることが可能であり、遊技機本体１２の底面の横方向の長さ全体で下方から支持するため、安定性を保ちつつ軸支させることが可能となっている。
【００９８】
また、下側支持体４７とは別に支持板４９が設けられていることから、下側支持体４７において遊技機本体１２の荷重を支える必要がなく、下側支持機構４２の安定性を高めることが可能となっている。
【００９９】
外枠１１に備えられた上下の支持体４５，４７は、遊技機本体１２の上下の被支持体４６，４８を支持する支持位置と支持しない解除位置とに移動が可能である。これにより、上記の通り軸支を可能にするとともに、遊技機本体１２側の上下の被支持体４６，４８は変位する必要がない。したがって、取り付けに際して、作業者は外枠１１側の各部在を操作する必要がなく作業効率が向上し、また、一方のみが変位することから支持機構４０の構成を簡素なものとすることが可能となる。
【０１００】
特に、上下の支持体４５，４７は回動等の複雑な動作はせず、それぞれ縦方向に移動することで支持位置と解除位置とを移動する。これにより、上下の支持体４５，４７の移動機構を簡素なものとすることを可能としている。
【０１０１】
前後に移動可能な移動体４３を備え、移動体４３の移動に伴い、上下の支持体４５，４７は移動する。すなわち、遊技機本体１２を支持可能な位置へ移動させ、遊技機本体１２側の操作機構４４を後方へ押すと、移動体４３は後方へ移動し、移動体４３の移動に伴い上下の支持体４５，４７はそれぞれの支持位置へと移動する。これにより、上述の如く遊技機本体１２を後方へ移動させることで外枠１１に支持させる構成において、上下の支持体４５，４７を解除位置から支持位置へと移動させることを可能としている。
【０１０２】
上下の支持体４５，４７は、いずれの位置に配置される場合においても、外枠１１の外周の範囲内に収まる。これにより限られたスペースである島設備の中で、上記の効果を奏することが可能となっている。
【０１０３】
遊技機本体１２の前面側から操作可能な操作機構４４を備え、操作機構４４は前後に移動可能となっている。操作機構４４を後方へ移動させると移動体４３を後方へ移動させることが可能であり、前方へ移動させると移動体４３を前方へ移動させることが可能である。したがって、遊技機本体１２の前面側から上下の軸支及び軸支の解除を行うことが可能となっている。これにより、遊技機本体１２の内部を操作することなく上下の軸支及び軸支の解除が可能なことから、作業の効率化が図られている。
【０１０４】
また、移動体４３が後方へ移動すると、上下の支持体４５，４７はまとめて支持位置へと移動し、前方へ移動すると上下の支持体４５，４７はまとめて解除位置へと移動する。これにより、取り付け作業又は取り外し作業の作業効率の向上を図ることが可能となっている。
【０１０５】
ここで、移動体４３と上下の支持体４５，４７とは、それぞれ、移動体４３における上下の傾斜面４３４，４３５と上下の支持体４５，４７の移動規制部４５１，４７１とが当接していることで、移動体４３が後方へ移動すると上下の支持体４５，４７もそれぞれの支持位置へ移動し、移動体４３が前方へ移動すると上下の支持体４５，４７はそれぞれの解除位置へと移動する。これにより、上述の如く移動体４３の移動に伴い上下の支持体４５，４７が移動する構成において、複雑な動作を必要とせず構成の簡素化を図ることが可能となっている。
【０１０６】
取り付けに際しては、遊技機本体１２を支持可能な位置に配置させてから、操作機構４４を前方へ押して上下の軸支を行う。また、取り外しに際しては、遊技機本体１２を支持可能な位置から移動させずに操作機構４４により上下の軸支の解除を行ってから、前方へ移動させる。これにより、支持軸４５０，４７０に対する軸孔４６０，４８０の遊びを、軸支の安定性の観点から狭く設定することが可能となっている。
【０１０７】
また、上下の支持体４５，４７は、それぞれ移動突起４５５，４７５と移動レール４３４ａ，４３５ａとが係合している。したがって、移動体４３の移動を伴わずそれぞれの解除位置へと移動させることは不可となっている。また、上下の保護カバー４５６，４７６により上下の支持体４５，４７の操作は不可となっている。これらにより、上下の支持体４５，４７を不正目的で解除位置へと移動させることを防止している。
【０１０８】
上下の軸支の解除を行ってから、操作機構４４を更に前方へ引き出し、移動体４３を移動させると、移動体４３の前面が遊技機本体１２の上下の被支持体４６，４８の背面と当接する。したがって、操作機構４４を更に前方へ引き出すと、遊技機本体１２を前方へ引き出すことが可能となっている。これにより、移動体４３を前方へ移動させることで、上下の支持体４５，４７の解除位置への移動と、引き出し作業における遊技機本体１２の押圧と、をいずれも行うことができ、これらの構成の簡素化を図ることが可能となっている。
【０１０９】
特に引き出し作業に際して、移動体４３の前面が、遊技機本体１２の上下の被支持体４６，４８の背面を押圧するだけでなく、移動体４３の押圧面４３１が遊技機本体１２の背面の一部を押圧する。したがって、引き出し作業の安定性を更に高めることが可能である。
【０１１０】
移動体４３を遊技機本体１２の前面から操作可能な操作機構４４を備え、操作機構４４はシリンダ錠３６とリンクし、シリンダ錠３６を回動させない限り操作が不可となっている。これにより、遊技機本体１２を不正目的で外枠１１から取り外されてしまうことを防止している。特に本実施の形態によれば、遊技機本体１２や前扉枠１４の施錠機構と操作機構４４の施錠を連動させたことにより、差し込み可能な鍵穴の数を増やすことなく、不正目的で鍵穴を操作される可能性を減少している。
【０１１１】
また、シリンダ錠３６に差し込んだキーを左に回すと、遊技機本体１２の施錠が解除されるとともに、上記のように操作機構４４を操作可能となる。これにより、遊技機本体１２が施錠されている状態では、操作機構４４の操作を不可とし、不正行為を防止することが可能となっている。
【０１１２】
移動体４３は、ロック機構４４０により後方に位置する第１位置に保持される。これにより、移動体４３が前方へ移動することが阻止でき、上下の支持体４５，４６を支持位置に保持することが可能となっている。
【０１１３】
このロック機構４４０は、遊技機本体１２の前面から操作可能な操作機構４４により、ロック解除を行うことができる。すなわち、取り外し作業においては、操作機構４４の解除突起部４４６ａをロック機構４４０のロック孔４４２に嵌合させることで、ロック板４４１はロック解除位置へと移動する。またこの状態で操作機構４４を前方へ引き出すことで、移動体４３を前方へ移動させることが可能である。移動体４３が前方へ移動すると、上述の如く、上下の支持体４５，４７は解除位置へと移動し、軸支が解除される。これにより、上下の支持体４５，４６の軸支の解除と、遊技機本体１２の引き出し作業と、を同じ部材を操作して一連の動作により行うことが可能となり、取り外し作業の効率化を図ることが可能となっている。
【０１１４】
上側支持体４５が上側支持位置に配置される場合、上側支持体４５の下面と上側被支持体４６における上面とが当接している。また、上側支持体４５の上側支持軸４５０は、上側被支持体４６の上側軸孔４６０へ上方から差し込まれている。これにより、遊技機本体１２を上方へ移動させようとしても、上側軸孔４６０の周縁が上側支持軸４５０のベース板に下方から当接しているため、遊技機本体１２を上方へ移動させることが不可となっている。また、下側被支持体４８の下面と支持板４９における上面とが当接している。そして遊技機本体１２の底面と外枠１１の下枠部における上面とが当接している。上述の通り遊技機本体１２の上方への移動は制限されているため、遊技機本体１２の底面と外枠１１の下枠部との間に隙間を生じさせることが不可となっている。したがって、遊技機本体１２を上方へ移動して生じる隙間から、不正治具等を挿入する不正行為を防止することが可能となっている。
【０１１５】
さらに、移動体４３が移動することなく上側支持体４５は上側支持位置から移動しない構成であることから、上記の不正行為に対する防止策をより強固なものとすることが可能となっている。
【０１１６】
＜第２の実施の形態＞
本実施の形態では、支持機構の構成が上記第１の実施の形態と異なっている。そこで、以下に本実施の形態における支持機構の構成について図１２を用いて説明する。図１２（ａ）は本実施の形態における支持機構（以下、支持機構５０）の主要な構成を示す正面図であり、図１２（ｂ）は図１２（ａ）におけるＡ２−Ａ２線断面図である。なお、図１２（ｂ）においては、遊技機本体１２の外周を２点鎖線により表示している。
【０１１７】
本実施形態における支持機構５０は、第１の実施の形態と同様に、上側支持機構５１と、下側支持機構５２と、上側支持機構５１と下側支持機構５２の間に配置され前後に移動可能な移動体５３と、当該移動体５３を遊技機本体１２の前面から操作可能な操作機構５４とを備えており、それぞれの構成が第１の実施の形態と異なっている。
【０１１８】
移動体５３は、第１の実施の形態と同様に、移動体規制部５３３によって後方に配置される第１位置から前方に配置される第２位置までの範囲で移動可能である。また、移動体付勢部５３４により前方へ付勢されているが、第１の実施の形態と異なり、移動体５３の移動を制限するロック機構４４０を備えていないため、第１位置に保持されない。したがって、移動体付勢部５３４によって前方へ付勢されていることから、第２位置に配置されている。また操作機構５４は、第１の実施の形態と同様に、シリンダ錠３６からリンクしたリンク棒５４８により前後の移動が制限されているが、第１の実施の形態と異なり、操作レバー４４５を備えておらず、前後に延在する操作棒５４０のみの構成となっている。なお、リンク棒５４８は、操作棒５４０に形成され横方向に貫通した貫通孔である操作貫通孔５４１に差し込まれ、操作棒５４０の前方への移動を阻止している。また、操作棒５４０は、移動体５３が第２位置に配置される状態で、その後側の先端が移動体５３の前面と当接し前側の先端は遊技機本体１２の前面と同一面となっている。
【０１１９】
次に、上側支持機構５１についての差異点を、図１３を用いて説明する。図１３（ａ）は図１２（ａ）における、Ｄ２−Ｄ２線断面図であり、図１３（ｂ）は図１３（ａ）におけるＥ２−Ｅ２線断面図であり、図１３（ｃ）は図１３（ａ）におけるＥ３−Ｅ３断面図である。なお、図１３においては、他の構成との区別のため移動体５３にドットハッチングを付与している。
【０１２０】
本実施の形態における上側支持機構５１は、第１の実施の形態と同様に、上側支持体５５の上側支持軸５５０を上側被支持体５６の上側軸孔５６０に挿通することで遊技機本体１２を外枠１１に対して回動可能に支持している。上側支持体５５は、第１の実施の形態と異なり、複数の折れ曲りを有する部材である。詳細には、上側支持体５５には、上側支持軸５５０を支持する支持部５５１と、当該支持部５５１の最後部から下方に起立し上側被支持体５６の背面と当接する押圧部５５２と、当該押圧部５５２の最下端から後方に起立した連結部５５３と、当該連結部５５３の最後部から下方に起立したロック板当接部５５４とが形成されている。
【０１２１】
また、支持部５５１と押圧部５５２との連続部分であって、折れ曲り箇所には、外枠１１に形成され横方向に架橋した支持体回動軸５５５が挿通されており、当該支持体回動軸５５５により、上側支持体５５は横方向の回動軸を中心に縦方向に回動可能に支持されている。また、押圧部５５２の背面と外枠１１の上側の壁部との間にはコイルバネである上側バネ５５６が配置されており、上側支持体５５の回動は前方へ付勢されている。これにより、上側支持体５５は上側支持軸５５０を上側軸孔５６０に挿通した上側支持位置と、上側支持位置から縦方向に回動することで上側支持軸５５０が上側軸孔５６０から抜け出した上側解除位置とに変位が可能である。一方で、上側支持体５５は外枠１１に備えられたロック機構５５７により上側支持位置に保持されている。
【０１２２】
ロック機構５５７は、外枠１１の左側の側枠部から横方向に起立したロック板５５７ａが、上側支持体５５のロック板当接部５５４の前面と当接することで、上側支持体５５の回動を阻止している。詳細には、外枠１１の左側の側枠部には移動体５３の移動を制限しないように移動体５３の反対方向へ凹んだロック板収納部５５７ｂが形成されており、当該ロック板収納部５５７ｂの前側からロック板５５７ａが横方向に起立してロック板当接部５５４と当接している。ロック板収納部５５７ｂには縦方向に架橋したロック板回動軸５５７ｃが設けられており、ロック板５５７ａは当該ロック板回動軸５５７ｃにより回動可能に支持されている。
【０１２３】
ロック板収納部５５７ｂには板バネであるロックバネ５５７ｄが配置され、ロック板５５７ａの回動は前方へ付勢されている。また、ロック板５５７ａが横方向に起立した状態において、ロック板５５７ａの前面とロック板収納部５５７ｂの前側の壁部とが当接しており、ロック板５５７ａの回動は後方へ行くほどロック板収納部５５７ｂから離れるように傾斜した状態で保持されている。これにより、ロック板５５７ａは、ロック板５５７ａの前面とロック板収納部５５７ｂの前側の壁部とが当接し且つロック板５５７ａとロック板当接部５５４の前面とが当接したロック位置と、ロック板収納部５５７ｂに収納されたロック解除位置との範囲で回動可能であり、ロックバネ５５７ｄによりロック位置へと付勢されている。
【０１２４】
また、図１３（ｃ）に示すように、外枠１１の左側の側枠部と移動体５３との間には、ロック機構５５７のロックを解除する解除部材５５７ｅが縦方向に起立して配置されている。解除部材５５７ｅはその下部において、外枠１１から横方向に起立した解除部材回動軸５５７ｆにより回動可能に支持されている。移動体５３の上部からは、解除部材５５７ｅを回動させるための解除突起５５７ｇが、外枠１１へ向けて突出している。解除部材回動軸５５７ｆは解除突起５５７ｇよりも後方で且つ下方に配置され、さらにロック板５５７ａよりも前方で且つ下方に配置されている。また、解除部材５５７ｅが前方へ回動する軌道上にはロック板５５７ａが配置されている。なお、解除部材５５７ｅの回動は図示しないねじりコイルバネにより前方へ付勢されており、解除部材５５７ｅの前面と解除突起５５７ｇの背面とが当接している。
【０１２５】
上記構成により、移動体５３が後方へ移動すると、解除突起５５７ｇが解除部材５５７ｅを押圧し後方へ回動させ、解除部材５５７ｅがロック板５５７ａをロック位置からロック解除位置へと回動させることが可能となっている。なお、ロック板５５７ａの回動に伴い、上側支持体５５のロック板当接部５５４も後方へ押圧され、上側支持体５５が回動し支持部５５１も下方へ移動するが、この移動によって支持部５５１と上側被支持体５６とが当接しないように、支持部５５１と上側被支持体５６との間には縦方向に空間が設けられている。また上側支持軸５５０の移動も、上側軸孔５６０内での移動に収まるように上側軸孔５６０の開口の大きさが定められている。
【０１２６】
次に、下側支持機構５２についての差異点を、図１４を用いて説明する。図１４（ａ）は図１２（ａ）におけるＦ２−Ｆ２線断面図であり、図１４（ｂ）は図１４（ａ）におけるＧ２−Ｇ２線断図である。なお、図１４においては、他の構成との区別のため移動体５３にドットハッチングを付与している。
【０１２７】
本実施の形態における下側支持機構５２では、第１の実施の形態とは異なり、下側支持体５７が、下側軸受け５７０が形成された軸受け基板５７１と、当該軸受け基板５７１と横方向に離間した位置に配置される支持基板５７２と、軸受け基板５７１と支持基板５７２との間に配置されるストッパー５７３とにより形成されている。下側軸受け５７０は後方へ凹んだ形状であり、下側被支持体５８の下側支持軸５８０が下側軸受け５７０に収まるように配置されている。また、ストッパー５７３は下側支持軸５８０を前方から押さえるように配置されている。これにより下側支持機構５２は、下側軸受け５７０とストッパー５７３とにより下側支持軸５８０を挟持することで遊技機本体１２を外枠１１に対して回動可能に支持している。また支持板５９が下側支持軸５８０を下方から受け、また軸受け基板５７１と支持基板５７２とが下側被支持体５８を下方から受けることで、遊技機本体１２を下方から支持している。
【０１２８】
下側支持軸５８０よりも前方で且つ横方向（左方）には、支持板５９から上方へ起立したストッパー回動軸５９１が形成され、当該ストッパー回動軸５９１によりストッパー５７３は縦方向の回動軸を中心に横方向に回動可能に支持されている。ストッパー５７３はストッパー回動軸５９１を基点として横方向に折れ曲っており、ストッパー５７３は、ストッパー回動軸５９１から横方向に延び下側支持軸５８０を前方から押さえる閉鎖部５７３ａと、ストッパー回動軸５９１よりも後方の滑り移動部５７３ｂとにより形成されている。滑り移動部５７３ｂと支持基板５７２との間にはスプリングバネであるストッパーバネ５７３ｃが配置され、ストッパー５７３の回動は横方向（上から見て時計回り）に付勢されている。
【０１２９】
一方で、ストッパー５７３の回動は、移動体５３から前方へ延びるストッパー制御棒５３１により制限されている。詳細には、滑り移動部５７３ｂは後方に行くほど横方向（右方）へ向くように傾斜した滑り斜面５７３ｄが形成されている。また、ストッパー制御棒５３１の前側の先端には横方向（左方）へ突出した滑り部５３２が形成されている。当該滑り部５３２が滑り移動部５７３ｂの滑り斜面５７３ｄの前側と当接し、ストッパー５７３の回動が阻止されている。移動体５３が後方に移動すると、ストッパー制御棒５３１も後方へ移動し、それに伴い滑り部５３２も移動する。滑り部５３２は、滑り斜面５７３ｄに沿って滑り移動部５７３ｂを横方向（左方）に押圧しながら移動する。これによりストッパー５７３は横方向（上から見て反時計回り）に回動する。移動体５３が第２位置まで移動すると、ストッパー５７３の閉鎖部５７３ａは下側支持軸５８０よりも横方向（左方）へ移動することとなる。
【０１３０】
上記構成により、下側支持体５７はストッパー５７３の閉鎖部５７３ａが下側支持軸５８０を前方から押さえる下側支持位置と、閉鎖部５７３ａが下側支持軸５８０よりも横方向（左方）にずれた下側解除位置とに変位が可能となっている。また、ストッパーバネ５７３ｃとストッパー制御棒５３１により下側支持位置に保持され、移動体５３が後方へ移動することで下側解除位置に変位する。
【０１３１】
次に、外枠１１から遊技機本体１２を取り外す作業について図１５を用いて説明する。図１５（ａ−１）及び図１５（ａ−２）は遊技機本体１２の取り外し作業を側方から見た概略図であり、図１５（ｂ−１）及び図１５（ｂ−２）は図１５（ａ−１）及び図１５（ａ−２）を上方から見た正面図を一部破断した破断図であり、図１５（ｃ−１）及び図１５（ｃ−２）は図１５（ａ−１）及び図１５（ａ−２）におけるＧ２−Ｇ２線断図である。なお、図１６においては、他の構成との区別のため移動体５３にドットハッチングを付与している。また、遊技機本体１２の外周を２点鎖線により表示している。
【０１３２】
遊技機本体１２を外枠１１から取り外す作業前には、第１の実施の形態と異なり、移動体５３は第２位置に配置されている。ここで第１の実施の形態と同様に、シリンダ錠３６を回動させると、リンク棒５４８が操作棒５４０から抜け出して操作棒５４０は前方へ移動可能となる。図１５（ａ−１）に示すとおり、操作棒５４０を後方へ押圧すると、操作棒５４０の後側の先端が移動体５３の前面を後方に押圧し、移動体５３は第１位置に移動する。移動体５３が第１位置に移動すると、下側支持機構５２では、図１５（ｃ−１）に示すとおり、移動体５３の移動に伴いストッパー制御棒５３１が後方へ移動し、ストッパー５７３の閉鎖部５７３ａは下側支持軸５８０よりも横方向に移動する。これにより、下側支持体５７は解除位置に変位する。上側支持機構５１では、図１５（ｂ−１）に示すように、移動体５３の解除突起５５７ｇが解除部材５５７ｅを回動させて、ロック板５５７ａはロック解除位置に移動する。これにより上側支持体５５は回動可能となり、上側バネ５５６の付勢力により上側支持体５５の押圧部５５２が上側被支持体５６の背面を押圧する。
【０１３３】
上側支持体５５の押圧部５５２が上側被支持体５６の背面を押圧すると、遊技機本体１２の上側に前方へ移動させる力が加わることとなるため、遊技機本体１２の下側を手で引くと、図１５（ａ−２）に示すとおり、支持板５９の上をスライド移動して前方に移動する。遊技機本体１２が前方へ移動すると、上側支持体５５は上側解除位置へと変位する。遊技機本体１２の移動に伴い、操作棒５４０と移動体５３との当接が離れ、移動体５３は移動体付勢部５３４の付勢力により第１位置に移動する。この状態において、図１５（ｂ−２）に示すように、ロック板５５７ａが上側支持体５５のロック板当接部５５４の側部と外枠１１とに挟まれてロック解除位置に保たれ、上側支持体５５は上側解除位置に変位した状態で留まることとなる。また、下側支持体５７は、図１５（ｃ−２）に示すとおり、下側支持軸５８０が前方へ移動することで、下側支持軸５８０がストッパー５７３の閉鎖部５７３ａと下側軸受け５７０とに横方向から挟持される状態となり、下側支持体５７は解除位置に変位した状態で留まることとなる。これにより、遊技機本体１２を外枠１１から取り外すことが可能となる。遊技機本体１２を外枠１１から取り外すと下側支持体５７はストッパーバネ５７３ｃにより支持位置に変位する。
【０１３４】
次に、外枠１１に対して遊技機本体１２を取り付ける作業について図１６を用いて説明する。図１６（ａ−１）及び図１６（ａ−２）は遊技機本体１２の取り付け作業を側方から見た概略図であり、図１６（ｂ−１）及び図１６（ｂ−２）は図１６（ａ−１）及び図１６（ａ−２）を上方から見た正面図を一部破断した破断図であり、図１６（ｃ−１）及び図１６（ｃ−２）は図１６（ａ−１）及び図１６（ａ−２）におけるＧ２−Ｇ２線断図である。なお、図１６においては、他の構成との区別のため移動体５３にドットハッチングを付与している。また、遊技機本体１２の外周を２点鎖線により表示している。
【０１３５】
遊技機本体１２を外枠１１に取り付ける際は、上側支持体５５は上側解除位置に、下側支持体５７は下側支持位置に配置された状態で行う。また、移動体５３は第２位置に配置されている。図１６（ａ−１）に示すとおり、支持板５９の上に遊技機本体１２を載せ、前方へスライド移動すると、図１６（ｃ−１）に示すように、下側被支持体５８の下側支持軸５８０がストッパー５７３の閉鎖部５７３ａの前面を押圧し下側支持体５７を解除位置に変位させる。また、図１６（ｂ−１）に示すとおり、上側被支持体５６の背面が、上側支持体５５の押圧部５５２の前面と当接する。図１６（ａ−２）に示すとおり、遊技機本体１２をさらに前方へ移動させて上下の支持体５５，５７により支持可能な位置まで移動させると、図１６（ｂ−２）に示すとおり、上側支持体５５は押圧部５５２が押圧されることで支持位置に変位し、上側支持機構５１の軸支が行われる。上側支持体５５が上側支持位置に変位するとロック板５５７ａがロック位置へ回動し、上側支持体５５は上側支持位置に保持される。図１６（ｃ−２）に示すとおり、下側支持体５７は、下側支持軸５８０が下側軸受け５７０に収まると、ストッパー５７３が回動して下側支持位置に変位する。これにより、上下の支持機構５１，５２によって、遊技機本体１２は外枠１１に対して回動可能に支持される。
【０１３６】
以上詳述した本実施の形態によれば、第１の実施の形態と同様の効果のほかに、上下の支持体５５，５７の軸支は、上側支持機構５１においては、遊技機本体１２の上側被支持体５６の背面が上側支持体５５の押圧部５５２を押圧することで上側支持体５５を支持位置へと変位させ、下側支持機構５２においては、下側被支持体５８の下側支持軸５８０がストッパー５７３の閉鎖部５７３ａを押圧して下側支持体５７を解除位置へ変位させるとともに、さらに下側支持軸５８０が後方へ移動すると下側支持体５７は支持位置へと変位する。これにより、遊技機本体１２を後方にスライド移動させることのみで軸着作業が完了し、操作機構５４の操作を必要としないことから、軸着作業の効率性を更に向上することが可能となっている。
【０１３７】
また、本実施の形態によれば、取り外し作業において、操作機構５４の操作棒５４０を押圧することで、移動体５３の移動とともに上下の支持体５５，５７を解除位置に変位させ、上側バネ５５６の付勢力により、遊技機本体１２が支持板５９の上を前方へ押圧する力が加わることとなる。これにより、遊技機本体１２を引き出す作業を上側バネ５５６の付勢力に委ねることができ、軸着解除作業の作業性を更に向上することが可能となっている。
【０１３８】
＜他の実施の形態＞
なお、上述した実施の形態の記載内容に限定されず、例えば次のように実施してもよい。因みに、以下の別形態の構成を、上記実施の形態における構成に対して、個別に適用してもよく、相互に組み合わせて適用してもよい。
【０１３９】
（１）パチンコ機１０において外枠１１は必須の構成でなく、上記第１，第２実施の形態において外枠１１に備えられた各部材（上側支持体４５，５５、下側支持体４７，５７、移動体４３，５３及びロック機構４４０，５５７）は島設備に備えられていてもよい。この形態においては、パチンコ機１０を交換する場合に、島設備に備えられた各部材は再度利用することができることから製造コストの低減を図ることが可能となる。
【０１４０】
（２）上記第１，第２の実施の形態において、上側支持機構４１，５１では上側支持体４５，５５の上側支持軸４５０，５５０を上側被支持体４６，５６の上側軸孔４６０，５６０に挿通させて支持していたが、その逆の形態としてもよい。すなわち外枠１１の上側支持体４５，５５に上側軸孔４６０，５６０を、遊技機本体１２の上側被支持体４６，５６に上側支持軸４５０，５５０をそれぞれ設けてもよい。これらの形態においても、上側支持体４５，５５の上側軸孔４６０，５６０に、上側被支持体４６，５６の上側支持軸４５０，５５０を挿通させることで、遊技機本体１２を外枠１１に対して回動可能に支持することが可能となる。
【０１４１】
（３）上記第１の実施の形態において、下側支持機構４２では下側支持体４７の下側支持軸４７０を下側被支持体４８の下側軸孔４８０に挿通させて支持していたが、その逆の形態としてもよい。すなわち外枠１１の下側支持体４７に下側軸孔４８０を、遊技機本体１２の下側被支持体４８に下側支持軸４７０をそれぞれ設けてもよい。この形態においては、下側支持体４７の下側軸孔４８０に下側被支持体４８の下側支持軸４７０を挿通させることで、遊技機本体１２を外枠１１に対して回動可能に支持することが可能となる。
【０１４２】
（４）上記第１，第２の実施の形態において、上下の支持体４５，４７をそれぞれの支持位置と解除位置とに変位させるべく移動体４３，５３を備えていたが、遊技機本体１２を外枠１１に対して取り付ける作業及び取り外す作業の作業効率を向上させるためには、移動体４３，５３は必須の構成ではなく、軸支及び軸支の解除を手動で行う構成としてもよい。すなわち、上下の支持体４５，４７をそれぞれ手動で支持位置と解除位置とに変位可能とし、取り付け作業及び取り外し作業においては、当該上下の支持体を手動で変位させる構成としてもよい。この場合、上下の軸支においては、軸部を軸孔に縦方向に挿通させる形態に限られず、軸部を軸受け部で横方向から受ける形態としてもよい。これらの形態においても、遊技機本体１２を外枠１１に対して軸支させるためには、遊技機本体１２を縦方向に移動させる必要はなく、後方への移動で外枠１１に軸支させることが可能である。また、取り外し作業においても、前方への移動で取り外すことが可能である。ただし、上下の支持機構の軸支を不正目的で解除させないためには、支持機構の変位を制限する施錠機構を設ける形態、または遊技機本体１２の施錠を解除して遊技機本体１２を開放した状態でそれぞれの軸支及び軸支の解除を行う形態とし、これらの施錠を解除しない限り上下の軸支の解除を行えない形態とすることが望ましい。
【０１４３】
（５）上記第１，第２の実施の形態において、取り外しの際、遊技機本体１２を手動で引き出したが、遊技機本体１２が前方に押し出される構成としてもよい。例えば、遊技機本体１２を前方へ押し出す機構として、外枠１１の下枠部が電気的な駆動装置を利用して前方へ移動可能である機構を設けてもよい。この場合、外枠１１の下枠部がレール上を前後に移動可能とし、それを電動駆動で前方へ移動させる形態等が考えられる。また、第２の実施の形態で示した上側支持機構５１における、遊技機本体１２を前方へ付勢する機構（上側バネ５５６による前方への付勢）を上下に設けることで、遊技機本体１２を前方へ押し出す構成としてもよい。これらの形態、またはこれらの組み合わせにより、取り外し作業における作業効率を更に向上させることが可能となる。
【０１４４】
（６）上記第１の実施の形態において、上下の支持軸４５０，４７０はそれぞれ対応する軸孔４６０，４８０に縦方向に挿通し、上側支持体４５と上側被支持体４６との間、及び下側被支持体４８と支持板４９との間に隙間が生じない構成としたが、遊技機本体１２を縦方向に移動させ生じた隙間から不正治具を挿入させない構成とするためには、少なくとも遊技機本体１２が支持された状態で、縦方向に移動することを規制する部位を有していればよい。例えば、軸部を軸受け部で横方向から受ける形態とし、上下に遊技機本体１２と隙間無く当接する部位を外枠１１に設ける形態が考えられる。この形態においても、遊技機本体１２を縦方向に移動させて生じた隙間から不正治具を挿入する不正行為を、抑制することが可能である。
【０１４５】
（７）上記第１，第２の実施の形態においては、移動体４３，５３を操作可能な操作機構４４，５４を備える構成としたが、遊技機本体１２を外枠１１へ取り付ける作業及び作業後において回動可能に支持する構成としては、操作機構４４，５４は必須の構成でなく、少なくとも上側支持機構４１，５１、下側支持機構４２，５２及び移動体４３，５３を備えていればよい。
【０１４６】
（８）上記第１，第２の実施の形態においては、操作機構４４，５４を操作不可とすべくリンク棒４４７，５４８を介してシリンダ錠３６とリンクさせたが、操作機構４４，５４により移動体４３，５３を操作するためにはリンク棒４４７，５４８と操作機構４４，５４とのリンクは必須の構成でなく、少なくとも操作機構４４，５４を備えていればよい。ただし、操作機構４４，５４が常時操作可能な構成とすると不正に軸支が解除される可能性もあるため、シリンダ錠３６とリンクしない場合は、例えば、操作機構４４，５４を遊技機本体１２の前面側に露出させない構成、シリンダ錠３６とは別の施錠機構を装備し操作機構４４，５４を操作不可とする構成、又は、遊技機本体１２を外枠１１に対して開放した状態でのみ操作機構４４，５４が操作可能となる構成などが考えられる。
【０１４７】
操作機構４４，５４を遊技機本体１２の前面側に露出させない構成の場合、操作機構４４，５４は遊技機本体１２の内部に配置されているため、遊技機本体１２を外枠１１に対して開放した状態でなければ操作不可である。遊技機本体１２はシリンダ錠３６により施錠されているので、操作機構４４，５４は常時操作可能ではなくなる。
【０１４８】
また、シリンダ錠３６とは別の施錠機構を装備し操作機構４４，５４を操作不可とする構成の場合、遊技機本体１２の前面側からキーを差し込めるように当該別の施錠機構を配置して、当該別の施錠機構の施錠を解除しない限り操作機構４４，５４の操作を不可とするとよい。
【０１４９】
さらに、遊技機本体１２を外枠１１に対して開放した状態でのみ操作機構４４，５４が操作可能となる構成の場合、第１の実施の形態において、上下の支持体４５，４７をそれぞれの支持位置に保持すべく、遊技機本体１２の内部に、回動先端側から回動基端側に向けて横方向へ突出した突起を上下に設ける。当該突起の配置箇所は、上側の突起は、上側支持体４５が上側支持位置に配置される場合にはそれよりも上方で、かつ上側支持体４５が上側解除位置に配置される場合にはそれよりも下方に配置する。また下側の突起は、下側支持体４７が下側支持位置に配置される場合にはそれよりも下方で、かつ下側支持体４７が下側解除位置に配置される場合にはそれよりも上方に配置する。さらに当該突起は、遊技機本体１２を外枠１１に対して閉鎖した状態では上下の支持体４５，４７と縦方向に重なり、遊技機本体１２を外枠１１に対して開放した状態では上下の支持体４５，４７と縦方向に重ならない位置に突出させる。
【０１５０】
これにより、遊技機本体１２が外枠１１に対して閉鎖されている場合は、上下の突起により、上下の支持体４５，４７はそれぞれの解除位置へと移動できず、遊技機本体１２を外枠１１に対して開放すると、上下の突起が上下の支持体４５，４７と縦方向で重ならくなるため、上下の支持体４５，４７はそれぞれの解除位置へと移動可能となる。本形態において取り外し作業は、遊技機本体１２を外枠１１に対して開放した状態で行うこととなる。また、取り付け作業は、遊技機本体１２を上下の支持機構による支持可能位置まで移動した後、遊技機本体１２を外枠１１に対して閉鎖し、操作機構４４により軸支の操作を行うこととなる。この形態によれば、施錠機構を利用せずに不正目的で上下の支持体４５，４７を解除位置へ移動させることを防止することが可能となる。
【０１５１】
（９）上記第１の実施の形態において、遊技機本体１２を外枠１１から取り外す際は、上下の軸支の解除を行った後に支持可能位置から前方へ移動させることで取り外し可能な構成としたが、遊技機本体１２を外枠１１に対して支持させた状態で縦方向に移動させることを不可とする構成としては、本形態に限定されず、少なくとも、遊技機本体１２を外枠１１に対して支持させた状態で、支持軸が軸孔から抜け出る方向へ変位することが規制されていればよい。例えば、遊技機本体１２に設けられた軸孔部に、外枠１１に設けられた軸部を下方から挿通して外枠１１に対して遊技機本体１２を軸支する構成とすると、遊技機本体１２を上方に変位させることで軸孔部から軸部が抜け出る形態となる。この形態において、軸孔部を有する軸孔部材が上方に変位することを規制するロック機構を外枠１１に設けることで、支持軸が軸孔から抜け出る方向へ変位することを規制し、遊技機本体１２を外枠１１に対して支持させた状態で遊技機本体１２を縦方向に変位させることを防止できる。このロック機構としては、少なくとも遊技機本体１２が外枠１１に対して閉鎖された状態では軸孔部材と上方から当接する突起を外枠１１に設けてもよく、また、軸孔部材を上方から支持するロック状態と支持しない非ロック状態とに遷移可能な機構を設けてもよい。さらにバネ等により軸孔部材を下方へ付勢する機構を設けてもよい。これらの形態においても、遊技機本体１２を外枠１１に対して支持させた状態で、不正目的で遊技機本体１２を上方へ移動させることを防止することが可能である。
【０１５２】
（１０）上記第１の実施の形態において、上側支持体４５が上側支持位置に配置される場合、上側支持体４５の下面と上側被支持体４６の上面とが当接することで、遊技機本体１２を上方に変位させることを防止する構成としたが、遊技機本体１２を上方に変位させて生じる隙間から不正治具を挿入される不正行為を防止するためには、少なくとも上側支持体４５と上側被支持体４６とが不正治具が挿入されない程度に接近していればよい。この形態でも遊技機本体１２を上方に変位させて、遊技機本体１２の底面と外枠１１の下枠部との間に隙間が生じたとしても不正治具を挿入される不正行為を防止することが可能である。
【０１５３】
（１１）上記第１の実施の形態において、上側支持体４５が上側支持位置に配置される場合に、上側支持体４５の上方への変位を規制する手段として、移動体４３の上側移動レール４３４ａと上側移動突起４５５とが係合し、移動体４３の移動を伴わない上側支持体４５の変位を規制する構成としたが、遊技機本体１２を上方に変位させて生じる隙間から不正治具を挿入される不正行為を抑制するための構成としては、少なくとも、上側支持体４５の上方への移動が抑制される構成であればよい。すなわち、上側移動レール４３４ａと上側移動突起４５５とが係合していなくとも、上側バネ４５４により上側支持体４５は下方に付勢されているため、この付勢力により、遊技機本体１２を上方へ変位させる行為は抑制されている。これにより、片手で遊技機本体１２を持ち上げもう一方の手で不正治具を隙間から挿入させる行為に対して障壁になりえる。
【０１５４】
（１２）上記第１の実施の形態において、移動体４３を後方へ移動させることで、上下の軸支が解除される構成としてもよく、第２の実施の形態において移動体５３を前方へ移動させることで上下の軸支が解除される構成としてもよい。すなわち、第１の実施の形態においては、操作機構４４を第２の実施の形態における操作機構５４としたうえで、上下の支持体４５，４７の移動規制部４５１，４７１及び移動体４３における上下の傾斜面４３４，４３５の傾斜をいずれも前後逆向きにすることで、移動体４３が後方へ移動すると上下の軸支が解除される。
【０１５５】
（１３）いずれの実施の形態においても、上下の支持機構はそれぞれ、個別に適用してもよく、相互に組み合わせて適用してもよい。ただし、各実施の形態においてそれぞれ移動体の移動方向によって軸支及び軸支の解除が異なるため、（１２）で記載したとおり、それぞれの支持機構を変更して適用すべきである。
【０１５６】
（１４）上記実施の形態とは異なる他のタイプのパチンコ機等、例えば特別装置の特定領域に遊技球が入ると電動役物が所定回数開放するパチンコ機や、特別装置の特定領域に遊技球が入ると権利が発生して大当たりとなるパチンコ機、他の役物を備えたパチンコ機、アレンジボール機、雀球等の遊技機にも、本発明を適用できる。
【０１５７】
更に、外枠に開閉可能に支持された遊技機本体に貯留部及び取込装置を備え、貯留部に貯留されている所定数の遊技球が取込装置により取り込まれた後にスタートレバーが操作されることによりリールの回転を開始する、パチンコ機とスロットマシンとが融合された遊技機にも本発明を適用できる。
【０１５８】
＜上記実施の形態から抽出される発明群について＞
以下、上述した実施の形態から抽出される発明群の特徴について、必要に応じて効果等を示しつつ説明する。なお以下においては、理解の容易のため、上記実施の形態において対応する構成を括弧書き等で適宜示すが、この括弧書き等で示した具体的構成に限定されるものではない。
【０１５９】
＜特徴Ａ群＞
特徴Ａ１．支持対象（外枠１１）に回動可能に支持される遊技機本体を備え、
前記支持対象及び前記遊技機本体のうち一方に設けられた支持部（上下の支持体４５，４７，５５，５７）と、他方に設けられ前記支持部を受ける支持受け部（上下の被支持体４６，４８，５６，５８）と、の組み合わせを有する複数の支持手段（上下の支持機構４１，４２，５１，５２）を利用して、前記支持対象に対して前記遊技機本体が回動可能に支持される遊技機であって、
前記各支持手段は、
前記遊技機本体が前記支持対象に対して支持可能位置に配置されている場合に、前記支持受け部により前記支持部が受けられて、前記支持対象に対して前記遊技機本体が回動可能に支持される支持状態（上下の支持体４５，４７，５５，５７をそれぞれの支持位置に配置）と、
前記支持可能位置に対して遊技機前方に存在する所定位置から前記支持可能位置に向けた前記遊技機本体の遊技機後方への移動を可能とするように、前記支持部と前記支持受け部との干渉を回避させる回避状態（上下の支持体４５，４７，５５，５７をそれぞれの解除位置に配置）と、
のそれぞれの状態に遷移可能な構成であることを特徴とする遊技機。
【０１６０】
特徴Ａ１によれば、遊技機本体を支持対象に支持させる場合においては支持部と支持受け部との干渉が回避されているため、遊技機本体を支持可能位置へ移動させることが可能で、且つ取り付け後は支持対象へ回動可能に支持させることが可能となる。したがって、取り付け作業に際しては、遊技機本体を縦方向に移動させる必要が無く、遊技機本体を取り付ける作業の作業効率の向上を図ることが可能となる。
【０１６１】
特徴Ａ２．前記支持対象に対して前記遊技機本体を支持させる際に当該遊技機本体を下方から支持する支持面（支持板４９，５９）を備え、
当該支持面に沿って前記遊技機本体を後方へ移動させることにより前記支持可能位置へ配置させることが可能な構成であることを特徴とする特徴Ａ１に記載の遊技機。
【０１６２】
特徴Ａ２によれば、遊技機本体を支持面に沿って後方へ移動させることで、遊技機本体の回動支持手段を支持対象に支持させることが可能となる。したがって、遊技機本体を支持面に載せて取付け作業を行うことができるため、作業の安全性や効率性の向上を図ることが可能となる。
【０１６３】
特徴Ａ３．前記支持手段は、前記支持部及び前記支持受け部のうち少なくとも一方が変位することで前記支持状態と前記回避状態との間での遷移が可能な構成であることを特徴とする特徴Ａ１又は特徴Ａ２に記載の遊技機。
【０１６４】
特徴Ａ３によれば、取り付けに際し、すくなくとも一方が変位することで取付けが可能となり、取り付け作業の安易化、及び、支持手段の構成の簡素化を図ることが可能となる。
【０１６５】
特徴Ａ４．前記支持手段は、前記支持部及び前記支持受け部のうち、前記支持対象に設けられている側が変位し、前記遊技機本体に設けられている側は変位しない構成であることを特徴とする特徴Ａ３に記載の遊技機。
【０１６６】
特徴Ａ４によれば、取り付けに際し、遊技機本体側の部材を変位させる必要がない。したがって、取り付け作業の作業効率の向上を図ることが可能となる。
【０１６７】
特徴Ａ５．前記支持部及び前記支持受け部のうち、前記支持対象に設けられている側は、前記遊技機本体に直接押されることにより、又は前記遊技機本体に設けられた操作部が操作されることに基づき変位する構成であることを特徴とする特徴Ａ４に記載の遊技機。
【０１６８】
特徴Ａ５によれば、支持対象に設けられた側を直接操作しながら遊技機本体を移動させるという作業を行う必要がない。したがって、取付け作業の作業性が向上する。
【０１６９】
特徴Ａ６．前記支持手段は、前記支持対象の上下左右の縁部から外方に突出しない範囲で遷移する構成であることを特徴とする特徴Ａ１乃至特徴Ａ５のいずれか１に記載の遊技機。
【０１７０】
特徴Ａ６によれば、限られた島設備のスペースの中で、上述の効果を奏することが可能である。
【０１７１】
特徴Ａ７．前記各支持手段が前記支持状態から前記回避状態に遷移することに基づいて、前記支持可能位置から前記遊技機本体を前方へ移動させることが可能（上下の支持体４５，４７，５５，５７がそれぞれの支持位置から解除位置に移動）な構成であることを特徴とする特徴Ａ１乃至特徴Ａ６のいずれか１に記載の遊技機。
【０１７２】
特徴Ａ７によれば、取り外しに際し、遊技機本体を支持可能位置から前方へ移動させることで支持対象から取り外すことが可能となる。したがって、取り付けだけでなく、取り外しに際しても遊技機本体を縦方向に移動させる必要がなくなり、取り外し作業の作業効率も向上させることが可能となる。
【０１７３】
特徴Ａ８．前記遊技機本体の前面から操作可能な操作部（操作機構４４,５４）を備え、
当該操作部を操作する（操作機構４４を前方へ引き出す、操作機構５４を後方へ押す）ことによって、前記各支持手段を前記支持状態から回避状態に遷移させることが可能な構成であることを特徴とする特徴Ａ７に記載の遊技機。
【０１７４】
特徴Ａ８によれば、各支持手段を遊技機本体の前面から回避状態とすることができる。したがって、遊技機本体を閉鎖した状態でも軸支の解除が可能となり、取り外し作業の効率化を図ることができる。
【０１７５】
特徴Ａ９．前記遊技機本体が前記支持対象に対して閉鎖されている場合又は施錠されている場合には、前記操作部の操作が不可となる構成であることを特徴とする特徴Ａ８に記載の遊技機。
【０１７６】
特徴Ａ９によれば、遊技機本体が支持対象に対して閉鎖されている場合、又は施錠されている場合には、操作部を操作できないことから、不正目的で各支持手段を回避状態とすることを防止することができる。
【０１７７】
特徴Ａ１０．前記複数の支持手段を有する支持機構は、各支持手段とは別体で設けられ、且つ外力が加えられることにより移動する移動体（移動体４３，５３）を備え、
当該移動体が移動することに基づき、前記各支持手段のうち少なくとも一つの状態が遷移される構成であることを特徴とする特徴Ａ１乃至特徴Ａ９のいずれか１に記載の遊技機。
【０１７８】
特徴Ａ１０によれば、各支持対象の少なくとも一つの状態遷移を移動体に委ねることとなる。したがって、各支持手段の構成を複雑化することなく、上述の如く状態遷移を行うことが可能となる。
【０１７９】
特徴Ａ１１．前記移動体は、前記遊技機本体に直接押されることにより、又は前記遊技機本体に設けられた操作部が操作されることに基づき移動する構成であることを特徴とする特徴Ａ１０に記載の遊技機。
【０１８０】
特徴Ａ１１によれば、移動体の動作が遊技機本体、又は遊技機本体に設けられた操作部の動作と連動することとなる。したがって、移動体が移動する動力を別途必要とせず、構成の簡素化を図ることが可能となる。
【０１８１】
特徴Ａ１２．前記移動体が移動することに基づき、前記複数の支持手段をまとめて前記支持状態へと遷移可能な構成であることを特徴とする特徴Ａ１０又は特徴Ａ１１に記載の遊技機。
【０１８２】
特徴Ａ１２によれば、移動体の移動により、各支持手段はまとめて支持状態へと遷移する。したがって、取り付け作業の作業効率を向上させることが可能となる。
【０１８３】
特徴Ａ１３．前記移動体が移動することに基づき、前記複数の支持手段をまとめて前記回避状態へと遷移可能な構成であることを特徴とする特徴Ａ１０乃至特徴Ａ１２いずれか１に記載の遊技機。
【０１８４】
特徴Ａ１３によれば、移動体の移動により、各支持手段はまとめて回避状態へと遷移する。したがって、取り外し作業の作業効率を向上させることが可能となる。
【０１８５】
特徴Ａ１４．前記移動体は、前記遊技機本体を前記支持対象に支持させる場合に、その開始時においては前記複数の支持手段を前記回避状態に保持し、前記遊技機本体が前記支持可能位置に移動した後に前記複数の支持手段を前記支持状態に遷移させることが可能な構成であることを特徴とする特徴Ａ１０乃至特徴Ａ１３のいずれか１に記載の遊技機。
【０１８６】
特徴Ａ１４によれば、取り付け作業に際して、移動体によって各支持手段を回避状態とし、遊技機本体が支持可能位置に移動した後に各支持手段を支持状態に遷移させる構成となる。したがって、取り付け作業の開始時においては各支持手段を移動体が回避状態に保持していることから、遊技機本体を支持可能位置まで移動させることができ、取り付け作業の作業性の向上を図ることが可能である。また、遊技機本体を支持可能位置に移動させた後に、各支持手段を支持状態に遷移させることから、支持部に対する支持受け部の遊びを狭く設定でき支持の安定性の向上を図ることが可能である。さらに、これらを移動体の移動により実現させることから、操作性の向上を図ることが可能である。
【０１８７】
特徴Ａ１５．前記移動体は前記遊技機本体を直接押圧する押圧部（段差部４３０）を有し、
前記遊技機本体を前記支持対象から取り外す作業に際し、前記移動体の押圧部が前記遊技機本体を背面から押圧することにより前記遊技機本体を前記支持可能位置から前方へ移動させることが可能な構成であることを特徴とする特徴Ａ１４に記載の遊技機。
【０１８８】
特徴Ａ１５によれば、移動体が移動することにより押圧部が遊技機本体の背面から押圧し、遊技機本体が支持可能位置から前方へ移動する。したがって、移動体が、取り外し作業における引き出し作業と、軸支の解除と、を行うことが可能となる。
【０１８９】
特徴Ａ１６．前記移動体は、前記遊技機本体の背面において前記支持手段の回動軸側に配置され、且つ縦方向に延在し、前記遊技機本体における回動軸側の背面に後方から当接する面（移動体４３の前面、押圧面４３１）を有していることを特徴とする特徴Ａ１４又は特徴Ａ１５に記載の遊技機。
【０１９０】
特徴Ａ１６によれば、引き出し作業に際して、移動体は遊技機本体の背面を面で押圧するため、移動体から遊技機本体へ力が分散することなく伝わり、引き出し作業の安定性を高めることが可能となる。
【０１９１】
特徴Ａ１７．前記移動体は、前記遊技機本体の背面と当接しない範囲で移動することにより、前記各支持手段の状態を遷移させることが可能な構成であることを特徴とする特徴Ａ１６に記載の遊技機。
【０１９２】
特徴Ａ１７によれば、遊技機本体の背面と当接しない範囲で移動体が移動して各支持手段の状態遷移が行われるため、移動体による各支持手段の状態遷移と、遊技機本体の移動と、を別々に行うことが可能となる。したがって、遊技機本体を支持可能位置から移動させずに各支持手段の状態遷移を行えることから、各支持手段における支持部に対する支持受け部の遊びを狭く設定でき、各支持手段の支持の安定性を向上することが可能となる。
【０１９３】
特徴Ａ１８．前記各支持手段は、前記支持部及び前記支持受け部のうち少なくとも一方である変位対象部が変位することで前記支持状態と前記回避状態との間での遷移が可能な構成であり、
前記支持手段を有する支持機構は、前記各支持手段のうち少なくとも一方について、前記支持状態となる位置に配置されている前記変位対象部が前記回避状態となる位置に配置されることを、当該変位対象部が前記回避状態となる位置に配置される前に当該変位対象部と当接することにより阻止する阻止手段（移動レール４３４ａ，４３５ａ、上下の移動突起４５５，４７５）を備えていることを特徴とする特徴Ａ１乃至特徴Ａ１７のいずれか１に記載の遊技機。
【０１９４】
特徴Ａ１８によれば、支持手段が回避状態となることを、変位対象部と阻止手段とが当接し阻止することができる。したがって、遊技機本体が支持対象に支持されている場合に不正目的で支持手段を回避状態に遷移させることを防止することが可能となる。
【０１９５】
特徴Ａ１９．前記各支持手段は、前記支持部及び前記支持受け部のうち少なくとも一方である変位対象部が変位することで前記支持状態と前記回避状態との間での遷移が可能な構成であり、
前記支持手段を有する支持機構は、前記各支持手段のうち少なくとも一方について、前記支持状態となる位置に配置されている前記変位対象部に対して遊技機前方から対向し、当該変位対象部が遊技機前面側に露出されないようにする対向部（上下の保護カバー４５６，４７６）を備えていることを特徴とする特徴Ａ１乃至特徴Ａ１８のいずれか１に記載の遊技機。
【０１９６】
特徴Ａ１９によれば、不正目的で遊技機本体の前面側から支持手段を回避状態とすることを防止することができる。
【０１９７】
特徴Ａ２０．前記各支持手段は、前記遊技機本体を前記支持対象から取り外す作業に際し、前記遊技機本体の移動よりも先に前記各支持手段を前記支持状態から前記回避状態に遷移させることが可能な構成であることを特徴とする特徴Ａ１乃至特徴Ａ１９のいずれか１に記載の遊技機。
【０１９８】
特徴Ａ２０によれば、各支持手段が回避状態となった後で、遊技機本体は支持可能位置から移動する。これにより、各支持部に対する各支持受け部の遊びを狭く設定することが可能となり、軸支の安定性に優れた支持機構とすることが可能となる。
【０１９９】
特徴Ａ２１．前記各支持手段は、前記遊技機本体を前記支持対象へ取り付ける作業に際し、前記遊技機本体が前記支持可能位置へ配置された後に前記回避状態から前記支持状態へ遷移させることを可能とする構成であることを特徴とする特徴Ａ１乃至特徴Ａ２０のいずれか１に記載の遊技機。
【０２００】
特徴Ａ２１によれば、遊技機本体が支持可能位置へ移動してから各支持手段が支持状態へと遷移する。これにより、各支持部に対する各支持受け部の遊びを狭く設定することが可能となり、軸支の安定性に優れた支持機構とすることが可能となる。
【０２０１】
特徴Ａ２２．前記支持対象に対して前記遊技機本体を支持させる際に当該遊技機本体を下方から支持する支持面を備え、
当該支持面よりも下方に設けられた前記支持対象側の支持部又は支持受け部により、前記遊技機本体側の支持部又は支持受け部が支持される構成であることを特徴とする特徴Ａ１乃至特徴Ａ２１のいずれか１に記載の遊技機。
【０２０２】
特徴Ａ２２によれば、支持面が遊技機本体の荷重を支えるため、各支持手段は遊技機本体の荷重を支える必要がなくなる。これにより、遊技機本体の荷重を支える役割を支持面に委ね、各支持手段を状態遷移が可能なものとし、各支持手段の支持を強固なものとすることが可能となる。したがって、安定性に優れた支持機構とすることができる。
【０２０３】
上記特徴Ａ群は以下の課題に対して適用すると効果的である。
【０２０４】
パチンコ機等の遊技機は、支持機構を介して、島設備に対して回動可能に支持される遊技機本体を備えている。遊技機本体は島設備側に対して着脱可能となっており、遊技機本体を島設備側から取り外した状態での点検、交換作業等を行うことが可能となっている。
【０２０５】
上記支持機構としては、貫通孔を備えた回動軸受けと、当該貫通孔に挿通可能な回動軸とからなることが一般的である。
【０２０６】
しかし、作業者が遊技機本体を島設備へ支持させるためには、遊技機本体を保持しながら回動軸受けと回動軸との位置合わせを行い、且つ回動軸受けへ回動軸を挿通する作業を行う必要がある。この場合、回動軸受けと回動軸との位置合わせの際には水平方向に遊技機本体を移動させ、回動軸受けに回動軸を挿通する際には鉛直方向に遊技機本体を移動させる必要があり、安全性や作業性の向上等、未だ改良の余地がある。
【０２０７】
＜特徴Ｂ群＞
特徴Ｂ１．支持対象に対して軸支手段を利用して軸支される遊技機本体を備え、
当該軸支手段は、前記支持対象及び前記遊技機本体のうち一方に設けられ軸部（上下の支持軸４５０，４７０）を有する軸部材（上下の支持体４５，４７）と、他方に設けられ前記軸部を受ける軸孔部（上下の軸孔４６０，４８０）を有する軸孔部材（上下の被支持体４６，４８）と、
を備え、
前記軸部材及び前記軸孔部材のうち一方が他方に対して縦方向に変位することで、前記軸部が前記軸孔部に挿通される構成であり、
前記軸支手段を有する軸支機構（支持機構４０）は、前記軸部材及び前記軸孔部材のうち、変位する側の部材が挿通方向とは逆方向に変位することを、当該変位する側の部材に外力を付与することで規制する変位規制手段（上下のバネ５４５，４７４、又は上下の移動レール４３４ａ，４３５ａと上下の移動突起４５５，４７５との係合）を備えることを特徴とする遊技機。
【０２０８】
特徴Ｂ１によれば、軸孔部に軸部を挿通させて支持対象に対して遊技機本体を軸支させる構成の遊技機においては、軸孔部に対して縦方向に軸部を挿通することから、軸孔部を分割等して横方向から軸部を保持する必要が無い。ただしこの構成の遊技機では、軸支の安定化を図った場合、軸部を軸孔部に対して確実に挿通させるため、軸部の長さを軸孔部に対してある程度長く設定する必要があり、遊技機本体は抜け方向への変位が比較的容易になり易い。これに対して、特徴Ｂ１の遊技機では、軸支機構が、軸部材及び軸孔部材のうち一方を挿通方向と逆方向に変位することを、その一方に外力を付与することで規制する変位規制手段を備えていることから、遊技機本体の抜け方向への変位を規制することが可能となる。したがって、軸支の安定化を図るとともに、遊技機本体の抜け方向への変位を規制することが可能となる。
【０２０９】
特徴Ｂ２．前記支持機構は、前記軸部材及び前記軸孔部材のうち前記支持対象に設けられている側の部材が他方に対して上方に存在し、軸支に際しては前記支持対象に設けられている側の部材が変位して軸支される構成であり、
前記変位規制手段は、当該支持対象に設けられている側の部材の変位を規制することを特徴とする特徴Ｂ１に記載の遊技機。
【０２１０】
特徴Ｂ２によれば、遊技機本体を上方に変位させるためには、軸部材及び軸孔部材のうち、支持対象側の部材を変位させる必要が生じる。一方で、支持対象側の部材は変位規制手段によりその変位が規制されている。したがって、遊技機本体を上方に変位させることを規制することが可能となる。
【０２１１】
特徴Ｂ３．特定解除操作（移動体４３を移動させることで上下の支持体４５，４７を移動させる）に基づいて、前記変位規制手段の規制を解除することが可能な構成であることを特徴とする特徴Ｂ１又は特徴Ｂ２に記載の遊技機。
【０２１２】
特徴Ｂ３によれば、取り外しに際しては、変位規制手段の規制を制限手段の特定解除操作に基づいて解除可能となる。これにより、変位規制手段により遊技機本体の移動を規制するとともに、取り外し作業に優れた軸支機構とすることができる。
【０２１３】
特徴Ｂ４．前記遊技機本体が前記支持対象に対して閉鎖されている状態において、前記特定解除操作を行うことが可能な構成であることを特徴とする特徴Ｂ３に記載の遊技機。
【０２１４】
特徴Ｂ４によれば、遊技機本体が支持対象に対して閉鎖されている状態で、特定解除操作を行うことが可能となる。これにより、取り外し作業の効率化を図ることが可能となる。
【０２１５】
特徴Ｂ５．前記軸支機構は、前記特定解除操作を前記遊技機本体の前面側から操作可能な操作部（操作機構４４）を備え、
前記遊技機本体が前記支持対象に対して閉鎖されている場合又は施錠されている場合には、前記操作部の操作が不可となる構成であることを特徴とする特徴Ｂ４に記載の遊技機。
【０２１６】
特徴Ｂ５によれば、遊技機本体を閉鎖状態で又は施錠されている状態で、操作部を操作して特定解除操作を行うことを不可とすることが可能となる。したがって、不正目的で操作部が操作されることを防止することができる。
【０２１７】
特徴Ｂ６．前記軸支手段は、前記軸部及び前記軸孔部のうち少なくとも一方である変位対象部が変位することで、前記遊技機本体を前記支持対象に対して軸支する構成であり、
前記軸支手段を有する軸支機構は、前記軸支手段について、前記変位対象部に対して遊技機前方から対向し、当該変位対象部が遊技機前面側に露出されないようにする対向部（上下の保護カバー４５６，４７６）を備えていることを特徴とする特徴Ｂ１乃至特徴Ｂ５のいずれか１に記載の遊技機。
【０２１８】
特徴Ｂ６によれば、不正目的で遊技機本体の前面側から軸支手段による軸支の解除を防止することができる。
【０２１９】
特徴Ｂ７．前記変位規制手段による前記遊技機本体の規制の解除とともに、各軸支手段の軸支が解除される構成であることを特徴とする特徴Ｂ１乃至特徴Ｂ６のいずれか１に記載の遊技機。
【０２２０】
特徴Ｂ７によれば、取り外しに際し、変位規制手段によって遊技機本体の変位規制の解除とともに軸支の解除を行うことができ、取り外し作業における作業効率の向上を図ることが可能となる。
【０２２１】
特徴Ｂ８．前記軸支機構は、複数の前記軸支手段と、
当該複数の軸支手段とは別体で設けられ、外力が加えられることにより移動する移動体と、
を備え、
当該移動体が移動することにより、前記変位規制手段による規制の解除がまとめて行われる構成であることを特徴とする特徴Ｂ１乃至特徴Ｂ７のいずれか１に記載の遊技機。
【０２２２】
特徴Ｂ８によれば、複数の軸支手段によって支持対象に対して遊技機本体を軸支させる構成であり、軸支の安定性を向上させることが可能となる。さらに移動体が移動することにより変位規制手段の規制の解除がまとめて行われる。これにより、変位規制手段自体を複雑な構成とすることなく、遊技機本体における変位の規制を解除することが可能となり、軸支機構の構成を簡素なものとすることが可能となる。
【０２２３】
特徴Ｂ９．前記変位規制手段は、前記支持対象に対する前記遊技機本体の全回動位置において、前記遊技機本体の変位を規制することを可能とする構成であることを特徴とする特徴Ｂ１乃至特徴Ｂ８のいずれか１に記載の遊技機。
【０２２４】
特徴Ｂ９によれば、支持対象に対して遊技機本体を回動した状態でも変位規制手段による規制が行われる構成となる。したがって、いずれの回動位置においても遊技機本体は抜け方向の変位が規制されるため、軸支の安定性を向上させることが可能となる。
【０２２５】
上記特徴Ｂ群は以下の課題に対して適用すると効果的である。
【０２２６】
パチンコ機等の遊技機は、支持機構を介して、島設備に対して回動可能に支持される遊技機本体を備えている。遊技機本体は島設備側に対して着脱可能となっており、遊技機本体を島設備側から取り外した状態での点検、交換作業等を行うことが可能となっている。
【０２２７】
上記支持機構としては、貫通孔を備えた回動軸受けと、当該貫通孔に挿通可能な回動軸とからなることが一般的である。
【０２２８】
しかし、閉鎖状態にある遊技機本体が上方に持ち上げられ、遊技機本体の底面と外枠の下枠部との間から、不正用治具を挿入されることも考えられる。したがって、これらの不正行為を防止するため、支持機構の軸支を強固なものとする必要があるが、遊技機本体の取り外し作業の作業性が低下することは好ましくない。
【０２２９】
＜特徴Ｃ群＞
特徴Ｃ１．支持対象に支持手段によって支持される遊技機本体を備え、
当該支持手段は、
前記遊技機本体を前記支持対象に対して支持する支持状態（上下の支持体４５，４７，５５，５７がそれぞれの支持位置に配置）と、
前記遊技機本体を前記支持対象に対して支持しない解除状態（上下の支持体４５，４７，５５，５７がそれぞれの解除位置に配置）と、
のそれぞれの状態に遷移可能であり、且つ前記遊技機本体が前記支持対象に対して支持可能位置に配置されている状態で、前記支持手段を前記支持状態から前記解除状態へと遷移させることが可能な構成であり、
前記支持手段を有する支持機構は、前記支持手段を解除状態で保持する保持手段（ロック機構４４０により移動体４３を第１位置に保持し上下の支持体４５，４７をそれぞれの支持位置に保持する構成，上側支持体５５を上側支持位置に保持するロック機構５５７）を備えることを特徴とする遊技機。
【０２３０】
特徴Ｃ１によれば、遊技機本体が支持可能位置に配置されている状態で、支持手段の支持の解除が可能となる。したがって、遊技機本体を移動させることなく支持の解除を行うことができ、支持対象から取り外し可能となる。さらに保持手段により支持手段を解除状態に保持することが可能な構成であることから、取り外し作業における作業効率の向上を図ることが可能となる。
【０２３１】
特徴Ｃ２．前記支持手段が前記解除状態となった場合に、前記支持可能位置から当該支持可能位置に対して遊技機前方に存在する所定位置に向けた前記遊技機本体の遊技機前方への移動が可能となる構成であることを特徴とする特徴Ｃ１に記載の遊技機。
【０２３２】
特徴Ｃ２によれば、遊技機本体を取り外す場合には、支持手段を解除状態としたうえで、支持可能位置から前方に移動させることで取り外すことが可能となる。したがって、取り外しに際して、遊技機本体を縦方向に移動させる必要がなく、取り外し作業の作業効率の向上を図ることが可能となる。
【０２３３】
特徴Ｃ３．前記支持対象に対して前記遊技機本体を取り外す際に当該遊技機本体を下方から支持する支持面（支持板４９，５９）を備え、
前記遊技機本体を当該支持面に沿って前記支持可能位置から前記所定位置へ移動させることが可能な構成であることを特徴とする特徴Ｃ２に記載の遊技機。
【０２３４】
特徴Ｃ３によれば、遊技機本体を支持面に沿って前方へ移動させることで、遊技機本体を支持対象から取り外すことが可能となる。したがって、遊技機本体を支持可能位置から前方に移動させても支持面に載った状態となるため、取り外し作業の安全性や効率性の向上を図ることが可能となる。
【０２３５】
特徴Ｃ４．前記遊技機本体の前面から操作可能な操作部（操作機構４４,５４）を備え、
当該操作部を操作する（操作機構４４を前方へ引き出す、操作機構５４を後方へ押す）ことによっては、前記支持手段を前記支持状態から前記解除状態に遷移させることが可能な構成であることを特徴とする特徴Ｃ１乃至特徴Ｃ３のいずれか１に記載の遊技機。
【０２３６】
特徴Ｃ４によれば、支持手段を遊技機本体の前面から解除状態とすることができる。したがって、遊技機本体を閉鎖した状態でも支持の解除が可能となり、取り外し作業の効率化を図ることができる。
【０２３７】
特徴Ｃ５．前記遊技機本体が前記支持対象に対して閉鎖されている場合又は施錠されている場合には、前記操作部の操作が不可となる構成であることを特徴とする特徴Ｃ４に記載の遊技機。
【０２３８】
特徴Ｃ５によれば、遊技機本体が支持対象に対して閉鎖されている回動が阻止されている場合状態で、又は施錠されている場合には、操作部を操作できないことから、不正目的で各支持手段を解除状態とすることを防止することができる。
【０２３９】
特徴Ｃ６．前記支持機構は、前記支持手段とは別体で設けられ、且つ外力が加えられることにより移動する移動体（移動体４３，５３）を備え、
当該移動体が移動することに基づき、前記支持手段の状態が遷移される構成であることを特徴とする特徴Ｃ１乃至特徴Ｃ５のいずれか１に記載の遊技機。
【０２４０】
特徴Ｃ６によれば、支持手段の状態遷移を移動体に委ねることとなる。したがって、支持手段の構成を複雑化することなく、上述の如く状態遷移を行うことが可能となる。
【０２４１】
特徴Ｃ７．前記支持機構は前記支持手段を複数備え、
前記移動体が移動することに基づき、前記複数の支持手段をまとめて前記解除状態へと遷移可能な構成であることを特徴とする特徴Ｃ６に記載の遊技機。
【０２４２】
特徴Ｃ７によれば、支持手段を複数備えることから支持の安定性を向上させることが可能である。また、これらの支持手段は移動体の移動によりまとめて解除状態へと遷移する。したがって、取り外し作業の作業効率を低下させることなく支持の安定性を向上させることが可能となる。
【０２４３】
特徴Ｃ８．前記移動体は前記遊技機本体を直接押圧する押圧部（段差部４３０）を有し、
前記遊技機本体を前記支持対象から取り外す作業に際し、前記移動体の押圧部が前記遊技機本体を背面から押圧することにより前記遊技機本体を前記支持可能位置から前方へ移動させることが可能な構成であることを特徴とする特徴Ｃ６又は特徴Ｃ７に記載の遊技機。
【０２４４】
特徴Ｃ８によれば、移動体が移動することにより押圧部が遊技機本体の背面から押圧し、遊技機本体が支持可能位置から前方へ移動する。したがって、移動体が、取り外し作業における引き出し作業と、軸支の解除と、を移動体が行うことが可能となる。
【０２４５】
特徴Ｃ９．前記移動体は、前記遊技機本体の背面において前記支持手段の回動軸側に配置され、且つ縦方向に延在し、前記遊技機本体における回動軸側の背面に後方から当接する面（移動体４３の前面、押圧面４３１）を有していることを特徴とする特徴Ｃ８に記載の遊技機。
【０２４６】
特徴Ｃ９によれば、引き出し作業に際して、移動体は遊技機本体の背面を面で押圧するため、移動体から遊技機本体へ力が分散することなく伝わり、引き出し作業の安定性を高めることが可能となる。
【０２４７】
特徴Ｃ１０．前記移動体は、前記遊技機本体の背面と当接しない範囲で移動することにより、前記支持手段の状態を遷移させることが可能な構成であることを特徴とする特徴Ｃ６乃至特徴Ｃ９のいずれか１に記載の遊技機。
【０２４８】
特徴Ｃ１０によれば、遊技機本体の背面と当接しない範囲で移動体が移動して支持手段の状態遷移が行われるため、移動体による各支持手段の状態遷移と、遊技機本体の移動と、を別々に行うことが可能となる。したがって、遊技機本体を支持可能位置から移動させずに支持手段の状態遷移を行えることから、支持手段における支持部に対する支持受け部の遊びを狭く設定でき、支持手段の支持の安定性を向上することが可能となる。
【０２４９】
特徴Ｃ１１．前記支持手段は、前記支持対象及び前記遊技機本体のうち一方に設けられた支持部（上下の支持体４５，４７，５５，５７）と、他方に設けられ前記支持部を受ける支持受け部（上下の被支持体４６，４８，５６，５８）とを備え、前記支持部及び前記支持受け部のうち少なくとも一方である変位対象部が変位することで前記支持状態と前記解除状態との間での遷移が可能な構成であり、
前記支持手段を有する支持機構は、前記各支持手段のうち少なくとも一方について、前記支持状態となる位置に配置されている前記変位対象部が前記解除状態となる位置に配置されることを、当該変位対象部が前記解除状態となる位置に配置される前に当該変位対象部と当接することにより阻止する阻止手段（移動レール４３４ａ，４３５ａ、上下の移動突起４５５，４７５）を備えていることを特徴とする特徴Ｃ１乃至特徴Ｃ１０のいずれか１に記載の遊技機。
【０２５０】
特徴Ｃ１１によれば、支持手段が解除状態となることを、変位対象部と阻止手段とが当接し阻止することができる。したがって、遊技機本体が支持対象に支持されている場合に不正目的で支持手段を解除状態に遷移させることを防止することが可能となる。
【０２５１】
特徴Ｃ１２．前記各支持手段は、前記支持対象及び前記遊技機本体のうち一方に設けられた支持部（上下の支持体４５，４７，５５，５７）と、他方に設けられ前記支持部を受ける支持受け部（上下の被支持体４６，４８，５６，５８）とを備え、前記支持部及び前記支持受け部のうち少なくとも一方である変位対象部が変位することで前記支持状態と前記解除状態との間での遷移が可能な構成であり、
前記支持手段を有する支持機構は、前記各支持手段のうち少なくとも一方について、前記支持状態となる位置に配置されている前記変位対象部に対して遊技機前方から対向し、当該変位対象部が遊技機前面側に露出されないようにする対向部（上下の保護カバー４５６，４７６）を備えていることを特徴とする特徴Ｃ１乃至特徴Ｃ１１のいずれか１に記載の遊技機。
【０２５２】
特徴Ｃ１２によれば、不正目的で遊技機本体の前面側から支持手段を解除状態とすることを防止することができる。
【０２５３】
特徴Ｃ１３．前記支持手段は、前記支持対象及び前記遊技機本体のうち一方に設けられた支持部（上下の支持体４５，４７，５５，５７）と、他方に設けられ前記支持部を受ける支持受け部（上下の被支持体４６，４８，５６，５８）と、を利用して、前記支持対象に対して前記遊技機本体を支持する構成であり、
前記支持対象に対して前記遊技機本体を取り外す際に当該遊技機本体を下方から支持する支持面を備え、
当該支持面よりも下方に設けられた前記支持対象側の前記支持部又は前記支持受け部により、前記遊技機本体側の前記支持部又は前記支持受け部が支持される構成であることを特徴とする特徴Ｃ１乃至特徴Ｃ１２のいずれか１に記載の遊技機。
【０２５４】
特徴Ｃ１３によれば、支持面が遊技機本体の荷重を支えるため、各支持手段は遊技機本体の荷重を支える必要がなくなる。これにより、遊技機本体の荷重を支える役割を支持面に委ね、各支持手段を状態遷移が可能なものとし、各支持手段の支持を強固なものとすることが可能となる。したがって、安定性に優れた支持機構とすることができる。
【０２５５】
特徴Ｃ１４．前記支持対象を有する支持機構は、前記支持手段とは別体で設けられ、前記遊技機本体を前記支持可能位置から前方へ変位させる変位手段（上側バネ５５６）を備えることを特徴とする特徴Ｃ１乃至特徴Ｃ１３のいずれか１に記載の遊技機。
【０２５６】
特徴Ｃ１４によれば、変位手段によって、遊技機本体は支持可能位置から前方に移動する。したがって、作業者が遊技機本体を支持可能位置から引き出す際に加える力を軽減することが可能であり、引き出し作業における作業効率の向上を図ることが可能である。
【０２５７】
上記特徴Ｃ群は以下の課題に対して適用すると効果的である。
【０２５８】
パチンコ機等の遊技機は、支持機構を介して、島設備に対して回動可能に支持される遊技機本体を備えている。遊技機本体は島設備側に対して着脱可能となっており、遊技機本体を島設備側から取り外した状態での点検、交換作業等を行うことが可能となっている。
【０２５９】
上記支持機構としては、貫通孔を備えた回動軸受けと、当該貫通孔に挿通可能な回動軸とからなることが一般的である。
【０２６０】
しかし、作業者が遊技機本体を島設備から取り外すためには、遊技機本体を保持しながら回動軸受けから回動軸を抜き出す必要がある。この場合、遊技機本体を上方に持ち上げるとともに支持機構から前方に移動させる必要があり、安全性や作業性の向上等、未だ改良の余地がある。
【符号の説明】
【０２６１】
１０…遊技機としてのパチンコ機、１１…外枠、１３…内枠、１２…遊技機本体、４０，５０…支持機構、４１，５１…上側支持機構、４２，５２…下側支持機構、４３，５３…移動体、４４，５４…操作機構。
【図１】
0006036959.tif 000002
【図２】
0006036959.tif 000003
【図３】
0006036959.tif 000004
【図４】
0006036959.tif 000005
【図５】
0006036959.tif 000006
【図６】
0006036959.tif 000007
【図７】
0006036959.tif 000008
【図８】
0006036959.tif 000009
【図９】
0006036959.tif 000010
【図１０】
0006036959.tif 000011
【図１１】
0006036959.tif 000012
【図１２】
0006036959.tif 000013
【図１３】
0006036959.tif 000014
【図１４】
0006036959.tif 000015
【図１５】
0006036959.tif 000016
【図１６】
0006036959.tif 000017